(57)【特許請求の範囲】
【請求項１】
ワイヤレス通信ネットワークを介する通信の方法であって、前記方法は、
ワイヤレス通信デバイスへのトーンブロックの割り振りのために、複数の割り振りスキーマのうちの１つを選択することであって、前記選択された割り振りスキーマは、トーンブロックの複数の割り振りを備えることと、
前記選択された割り振りスキーマを識別するスキーマ識別子としての割り振りタイプを備える割り振りメッセージを生成することであって、前記割り振りタイプは、前記選択された割り振りスキーマについて、トーンブロックの１つまたは複数の割り振りの数と前記トーンブロックのサイズとを示し、ここにおいて、前記複数の割り振りの各割り振りは、前記割り振りを共有するユーザの数のインジケーション、前記割り振りを共有する各ユーザのための局識別子、および前記割り振りを共有する各ユーザのための１つまたは複数のユーザパラメータを備えることと、
前記割り振りメッセージを１つまたは複数のワイヤレス通信デバイスに送信することと
を備える、方法。
【請求項２】
前記１つまたは複数の割り振りの各々は、前記選択された割り振りスキーマ内の対応する序数割り振りに対応する、請求項１に記載の方法。
【請求項３】
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、請求項１に記載の方法。
【請求項４】
前記割り振りは各々、１人以上のユーザが前記割り振りを共有するか否かを示すインジケーションを備える、請求項１に記載の方法。
【請求項５】
１人以上のユーザが前記割り振りを共有しないことを前記インジケーションが示すとき、前記割り振りは、局識別子と１つまたは複数のユーザパラメータとを備える、請求項４に記載の方法。
【請求項６】
前記方法は、少なくとも１つのワイヤレス通信デバイスにサービスするアクセスポイントによって行われ、前記アクセスポイントのプロセッサは、前記アクセスポイントの送信機およびアンテナを通して前記少なくとも１つのワイヤレス通信デバイスに前記割り振りメッセージを送信するように構成される、請求項１に記載の方法。
【請求項７】
８以下のユーザは、各割り振りを共有する、請求項１に記載の方法。
【請求項８】
ワイヤレス通信のための装置であって、
ワイヤレス通信デバイスへのトーンブロックの割り振りのために、複数の割り振りスキーマのうちの１つを選択するための手段であって、前記選択された割り振りスキーマは、トーンブロックの複数の割り振りを備える手段と、
前記選択された割り振りスキーマを識別するスキーマ識別子としての割り振りタイプを備える割り振りメッセージを生成するための手段であって、前記割り振りタイプは、前記選択された割り振りスキーマについて、トーンブロックの１つまたは複数の割り振りの数と前記トーンブロックのサイズとを示し、ここにおいて、前記複数の割り振りの各割り振りは、前記割り振りを共有するユーザの数のインジケーション、前記割り振りを共有する各ユーザのための局識別子、および前記割り振りを共有する各ユーザのための１つまたは複数のユーザパラメータを備える手段と、
前記割り振りメッセージを１つまたは複数のワイヤレス通信デバイスに送信するための手段と
を備える、装置。
【請求項９】
前記１つまたは複数の割り振りの各々は、前記選択された割り振りスキーマ内の対応する序数割り振りに対応する、請求項８に記載の装置。
【請求項１０】
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、請求項８に記載の装置。
【請求項１１】
前記割り振りは各々、１人以上のユーザが前記割り振りを共有するか否かを示すインジケーションを備える、請求項８に記載の装置。
【請求項１２】
１人以上のユーザが前記割り振りを共有しないことを前記インジケーションが示すとき、前記割り振りは、局識別子と１つまたは複数のユーザパラメータとを備える、請求項１１に記載の装置。
【請求項１３】
コードを備えるコンピュータ可読記憶媒体であって、前記コードは、実行されるとき、コンピュータに、請求項１−７のうちのいずれかに記載の方法を行わせる、コンピュータ可読記憶媒体。
【発明の詳細な説明】
【技術分野】
【０００１】
[0001]  本開示のある特定の態様は、一般に、ワイヤレス通信に関し、より具体的には、様々な割り振りスキーマに従った割り振りをシグナリングするための方法および装置に関する。
【背景技術】
【０００２】
[0002]  多くの電気通信システムでは、いくつかの相互作用する空間的に隔てられたデバイス間でメッセージを交換するために、通信ネットワークが使用される。ネットワークは、地理的範囲に従って分類され得、それは、例えば、メトロポリタンエリア、ローカルエリア、またはパーソナルエリアであり得る。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）にそれぞれ指定され得る。ネットワークはまた、様々なネットワークノードおよびデバイスを相互接続するために使用される交換／ルーティング技法（例えば、回線交換対パケット交換）、送信のために用いられる物理媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）など）に従って異なる。
【０００３】
[0003]  ワイヤレスネットワークは、ネットワーク要素が移動式であり、これにより動的接続性のニーズを有するときに、または、ネットワークアーキテクチャが固定式というよりはむしろアドホックのトポロジにおいて形成される場合に、好まれることが多い。ワイヤレスネットワークは、無線、マイクロ波、赤外線、光などの周波数帯域における電磁波を使用して、無誘導伝搬モード（unguided propagation mode）で無形物理媒体を用いる。ワイヤレスネットワークは、固定されたワイヤードネットワークと比較するときに、ユーザモビリティおよび高速なフィールド展開を促進し有利である。
【０００４】
[0004]  ワイヤレスネットワーク内のデバイスは、相互間で情報を送信／受信することができる。デバイスの送信は、互いに干渉し得、ある特定の送信は、他の送信を選択的にブロックし得る。多くのデバイスが通信ネットワークを共有する場合、混雑や非効率なリンクの使用が生じ得る。このように、システム、方法、および非一時的コンピュータ可読媒体は、ワイヤレス通信における通信効率を改善することが必要である。
【発明の概要】
【０００５】
[0005]  添付の特許請求の範囲内のシステム、方法、およびデバイスの様々な実装は、いくつかの態様を各々有しており、これらのうちのどれ１つとして、本明細書で説明される望ましい属性を単独で担うものではない。添付の特許請求の範囲を限定することなく、いくつかの特徴が本明細書で説明される。
【０００６】
[0006]  本明細書で説明される主題の１つまたは複数の実装の詳細が、添付の図面および下記の説明に記載される。その説明、図面、および特許請求の範囲から、他の特徴、様態、および利点が明らかになるだろう。下記の図面の相対的寸法は、原寸通りに描かれていないことに留意されたい。
【０００７】
[0007]  本開示の１つの態様は、ワイヤレス通信ネットワークを介する通信の方法を提供する。方法は、ワイヤレス通信デバイスへのワイヤレスリソースの割り振りのために、複数の割り振りスキーマのうちの１つを選択することを含む。方法は、選択された割り振りスキーマの識別子と、選択された割り振りスキーマに従ったワイヤレスリソースの１つまたは複数の割り振りとを含む割り振りメッセージを生成することをさらに含む。方法は、割り振りメッセージを１つまたは複数のワイヤレス通信デバイスに送信することをさらに含む。
【０００８】
[0008]  様々な実施形態では、１つまたは複数の割り振りは各々、選択された割り振りスキーマ内の対応する序数割り振り（ordinal allocation）に対応する。様々な実施形態では、複数の割り振りスキーマは、１つまたは複数の２６トーンおよび２４２トーンブロックの割り振りを含み得る。
【０００９】
[0009]  様々な実施形態では、複数の割り振りスキーマは、２０ＭＨｚスキーマ、４０ＭＨｚスキーマ、および８０ＭＨｚスキーマを含み得、少なくとも１つの４０ＭＨｚスキーマは、２０ＭＨｚスキーマの部分を含み得、少なくとも１つの８０ＭＨｚスキーマは、２０ＭＨｚスキーマまたは４０ＭＨｚスキーマの部分を含み得る。様々な実施形態では、割り振りメッセージは、２ビットの帯域幅インジケーションと、４ビットのスキーマ識別子とを含み得る。
【００１０】
[0010]  様々な実施形態では、割り振りは各々、１人以上のユーザが割り振りを共有するか否かを示すインジケーションを含み得る。様々な実施形態では、割り振りは、割り振りを共有するユーザの数のインジケーション、割り振りを共有する各ユーザのための局識別子、および割り振りを共有する各ユーザのための１つまたは複数のユーザパラメータを含み得る。様々な実施形態では、８以下のユーザは、各割り振りを共有し、割り振りを共有するユーザの数のインジケーションは、３ビットを含み得る。
【００１１】
[0011]  様々な実施形態では、１人以上のユーザが割り振りを共有しないことをインジケーションが示すとき、割り振りは、局識別子と１つまたは複数のユーザパラメータとを含み得る。様々な実施形態では、方法は、少なくとも１つのモバイル局にサービスするアクセスポイントによって行われ得る。アクセスポイントのプロセッサは、アクセスポイントの送信機およびアンテナを通して少なくとも１つのモバイル局に割り振りメッセージを送信するように構成され得る。様々な実施形態では、割り振りメッセージを送信することは、３．２ｍｓの１ｘシンボル持続時間または１２．８ｍｓの４ｘシンボル持続時間を使用して、割り振りメッセージの少なくとも一部分を送信することを含み得る。
【００１２】
[0012]  別の態様は、ワイヤレス通信を行うように構成された装置を提供する。装置は、命令を記憶するメモリを含む。装置は、メモリと結合されたプロセッサをさらに含む。プロセッサおよびメモリは、ワイヤレス通信デバイスへのワイヤレスリソースの割り振りのために、複数の割り振りスキーマのうちの１つを選択するように構成される。プロセッサおよびメモリは、選択された割り振りスキーマの識別子と、選択された割り振りスキーマに従ったワイヤレスリソースの１つまたは複数の割り振りとを含む割り振りメッセージを生成するようにさらに構成される。装置は、割り振りメッセージを１つまたは複数のワイヤレス通信デバイスに送信するように構成された送信機をさらに含む。
【００１３】
[0013]  様々な実施形態では、１つまたは複数の割り振りは各々、選択された割り振りスキーマ内の対応する序数割り振りに対応する。様々な実施形態では、複数の割り振りスキーマは、１つまたは複数の２６トーンおよび２４２トーンブロックの割り振りを含み得る。
【００１４】
[0014]  様々な実施形態では、複数の割り振りスキーマは、２０ＭＨｚスキーマ、４０ＭＨｚスキーマ、および８０ＭＨｚスキーマを含み得、少なくとも１つの４０ＭＨｚスキーマは、２０ＭＨｚスキーマの部分を含み得、少なくとも１つの８０ＭＨｚスキーマは、２０ＭＨｚスキーマまたは４０ＭＨｚスキーマの部分を含み得る。様々な実施形態では、割り振りメッセージは、２ビットの帯域幅インジケーションと、４ビットのスキーマ識別子とを含み得る。
【００１５】
[0015]  様々な実施形態では、割り振りは各々、１人以上のユーザが割り振りを共有するか否かを示すインジケーションを含み得る。様々な実施形態では、割り振りは、割り振りを共有するユーザの数のインジケーション、割り振りを共有する各ユーザのための局識別子、および割り振りを共有する各ユーザのための１つまたは複数のユーザパラメータを含み得る。様々な実施形態では、８以下のユーザは、各割り振りを共有し、割り振りを共有するユーザの数のインジケーションは、３ビットを含み得る。
【００１６】
[0016]  様々な実施形態では、１人以上のユーザが割り振りを共有しないことをインジケーションが示すとき、割り振りは、局識別子と１つまたは複数のユーザパラメータとを含み得る。様々な実施形態では、装置は、少なくとも１つのモバイル局にサービスするアクセスポイントを含む。プロセッサおよびメモリは、アクセスポイントの送信機およびアンテナを通して少なくとも１つのモバイル局に割り振りメッセージを送信するように構成され得る。様々な実施形態では、送信機は、３．２ｍｓの１ｘシンボル持続時間または１２．８ｍｓの４ｘシンボル持続時間を使用して、割り振りメッセージの少なくとも一部分を送信するように構成され得る。
【００１７】
[0017]  別の態様は、ワイヤレス通信のための別の装置を提供する。装置は、ワイヤレス通信デバイスへのワイヤレスリソースの割り振りのために、複数の割り振りスキーマのうちの１つを選択するための手段を含む。装置は、選択された割り振りスキーマの識別子と、選択された割り振りスキーマに従ったワイヤレスリソースの１つまたは複数の割り振りとを含む割り振りメッセージを生成するための手段をさらに含む。装置は、割り振りメッセージを１つまたは複数のワイヤレス通信デバイスに送信するための手段をさらに含む。
【００１８】
[0018]  様々な実施形態では、１つまたは複数の割り振りは各々、選択された割り振りスキーマ内の対応する序数割り振りに対応する。様々な実施形態では、複数の割り振りスキーマは、１つまたは複数の２６トーンおよび２４２トーンブロックの割り振りを含み得る。
【００１９】
[0019]  様々な実施形態では、複数の割り振りスキーマは、２０ＭＨｚスキーマ、４０ＭＨｚスキーマ、および８０ＭＨｚスキーマを含み得、少なくとも１つの４０ＭＨｚスキーマは、２０ＭＨｚスキーマの部分を含み得、少なくとも１つの８０ＭＨｚスキーマは、２０ＭＨｚスキーマまたは４０ＭＨｚスキーマの部分を含み得る。様々な実施形態では、割り振りメッセージは、２ビットの帯域幅インジケーションと、４ビットのスキーマ識別子とを含み得る。
【００２０】
[0020]  様々な実施形態では、割り振りは各々、１人以上のユーザが割り振りを共有するか否かを示すインジケーションを含み得る。様々な実施形態では、割り振りは、割り振りを共有するユーザの数のインジケーション、割り振りを共有する各ユーザのための局識別子、および割り振りを共有する各ユーザのための１つまたは複数のユーザパラメータを含み得る。様々な実施形態では、８以下のユーザは、各割り振りを共有し、割り振りを共有するユーザの数のインジケーションは、３ビットを含み得る。
【００２１】
[0021]  様々な実施形態では、１人以上のユーザが割り振りを共有しないことをインジケーションが示すとき、割り振りは、局識別子と１つまたは複数のユーザパラメータとを含み得る。様々な実施形態では、装置は、少なくとも１つのモバイル局にサービスするアクセスポイントを含み得る。アクセスポイントのプロセッサは、アクセスポイントの送信機およびアンテナを通して少なくとも１つのモバイル局に割り振りメッセージを送信するように構成され得る。様々な実施形態では、送信するための手段は、３．２ｍｓの１ｘシンボル持続時間または１２．８ｍｓの４ｘシンボル持続時間を使用して、割り振りメッセージの少なくとも一部分を送信するように構成され得る。
【００２２】
[0022]  別の態様は、非一時的コンピュータ可読媒体を提供する。媒体は、実行されるとき、装置に、ワイヤレス通信デバイスへのワイヤレスリソースの割り振りのために、複数の割り振りスキーマのうちの１つを選択させるコードを含む。媒体は、実行されるとき、装置に、選択された割り振りスキーマの識別子と、選択された割り振りスキーマに従ったワイヤレスリソースの１つまたは複数の割り振りとを含む割り振りメッセージを生成させるコードをさらに含む。媒体は、実行されるとき、装置に、割り振りメッセージを１つまたは複数のワイヤレス通信デバイスに送信させるコードをさらに含む。
【００２３】
[0023]  様々な実施形態では、１つまたは複数の割り振りは各々、選択された割り振りスキーマ内の対応する序数割り振りに対応する。様々な実施形態では、複数の割り振りスキーマは、１つまたは複数の２６トーンおよび２４２トーンブロックの割り振りを含み得る。
【００２４】
[0024]  様々な実施形態では、複数の割り振りスキーマは、２０ＭＨｚスキーマ、４０ＭＨｚスキーマ、および８０ＭＨｚスキーマを含み得、少なくとも１つの４０ＭＨｚスキーマは、２０ＭＨｚスキーマの部分を含み得、少なくとも１つの８０ＭＨｚスキーマは、２０ＭＨｚスキーマまたは４０ＭＨｚスキーマの部分を含み得る。様々な実施形態では、割り振りメッセージは、２ビットの帯域幅インジケーションと、４ビットのスキーマ識別子とを含み得る。
【００２５】
[0025]  様々な実施形態では、割り振りは各々、１人以上のユーザが割り振りを共有するか否かを示すインジケーションを含み得る。様々な実施形態では、割り振りは、割り振りを共有するユーザの数のインジケーション、割り振りを共有する各ユーザのための局識別子、および割り振りを共有する各ユーザのための１つまたは複数のユーザパラメータを含み得る。様々な実施形態では、８以下のユーザは、各割り振りを共有し、割り振りを共有するユーザの数のインジケーションは、３ビットを含み得る。
【００２６】
[0026]  様々な実施形態では、１人以上のユーザが割り振りを共有しないことをインジケーションが示すとき、割り振りは、局識別子と１つまたは複数のユーザパラメータとを含み得る。様々な実施形態では、装置は、少なくとも１つのモバイル局にサービスするアクセスポイントを含み得る。アクセスポイントのプロセッサは、アクセスポイントの送信機およびアンテナを通して少なくとも１つのモバイル局に割り振りメッセージを送信するように構成され得る。様々な実施形態では、装置は、３．２ｍｓの１ｘシンボル持続時間または１２．８ｍｓの４ｘシンボル持続時間を使用して、割り振りメッセージの少なくとも一部分を送信するように構成され得る。
【図面の簡単な説明】
【００２７】
【図１】[0027]  図１は、本開示の態様が用いられ得る、例となるワイヤレス通信システムを図示する。
【図２】[0028]  図２は、図１のワイヤレス通信システム内で用いられ得る、ワイヤレスデバイスにおいて利用され得る様々なコンポーネントを図示する。
【図３】[0029]  図３は、１つの実施形態に従った、例となる２Ｎトーンプラン（tone plan）を示す。
【図４】[0030]  図４は、２０ＭＨｚ、４０ＭＨｚ、および８０ＭＨｚ送信の図である。
【図５Ａ】[0031]  図５Ａは、様々な実装に従った２０ＭＨｚ送信を図示する。
【図５Ｂ】図５Ｂは、様々な実装に従った２０ＭＨｚ送信を図示する。
【図５Ｃ】図５Ｃは、様々な実装に従った２０ＭＨｚ送信を図示する。
【図６Ａ】[0032]  図６Ａは、様々な実装に従った４０ＭＨｚ送信を図示する。
【図６Ｂ】図６Ｂは、様々な実装に従った４０ＭＨｚ送信を図示する。
【図６Ｃ】図６Ｃは、様々な実装に従った４０ＭＨｚ送信を図示する。
【図６Ｄ】図６Ｄは、様々な実装に従った４０ＭＨｚ送信を図示する。
【図７】[0033]  図７は、例となる２０ＭＨｚ送信、４０ＭＨｚ送信、および８０ＭＨｚ送信の図である。
【図８Ａ】[0034]  図８Ａは、５つの例となる２０ＭＨｚ送信のための割り振りタイプを図示する。
【図８Ｂ】[0035]  図８Ｂは、図８Ａの割り振りタイプのための、例となる割り振りインデックスを示す。
【図８Ｃ】[0036]  図８Ｃは、４０ＭＨｚ送信のための、５つの例となる割り振りタイプを図示する。
【図８Ｄ】[0037]  図８Ｄは、図８Ｃの割り振りタイプのための、例となる割り振りインデックスを示す。
【図８Ｅ】[0038]  図８Ｅは、８０ＭＨｚ送信のための、５つの例となる割り振りタイプを図示する。
【図８Ｆ】[0039]  図８Ｆは、図８Ｅの割り振りタイプのための、例となる割り振りインデックスを示す。
【図９】[0040]  図９は、１つの実施形態に従った、例となるトーンブロック割り振り９００を示す。
【図１０】[0041]  図１０は、ある実施形態に従った、直交周波数分割多元接続（ＯＦＤＭＡ）トーンプランのためのインターリービングパラメータを生成するよう動作可能なシステムを示す。
【図１１】[0042]  図１１は、ワイヤレス通信を送受信するための、図１０のワイヤレスデバイスのようなワイヤレスデバイスで実装され得る、例となる他入力他出力（ＭＩＭＯ）システムを示す。
【図１２】[0043]  図１２は、トーン割り振りユニットを使用するワイヤレス通信ネットワークを介する通信の、例となる方法についてのフローチャートを示す。
【詳細な説明】
【００２８】
[0044]  新規のシステム、装置、および方法の様々な態様が、添付の図面を参照して下記にさらに十分に説明される。本開示の教示は、多くの異なる形式で具現化され得るが、本開示全体を通して提示されるいずれかの具体的な構成または機能に限定されるものとして解釈されるべきではない。むしろ、これらの態様は、本開示が徹底的かつ完全なものとなり、本開示の範囲が当業者に十分に伝わるように提供される。本明細書における教示に基づいて、本開示の範囲が、発明の任意の他の態様から独立して実施されようと、あるいは組み合わされて実施されようと、本明細書において開示される新規のシステム、装置、および方法の任意の態様をカバーするよう意図されていることを、当業者は理解するべきである。例えば、本明細書に記載された任意の数の態様を使用して、装置が実装され、または方法が実施され得る。加えて、発明の範囲は、本明細書に記載される発明の様々な態様に加えて、またはそれ以外の、他の構造、機能、または構造と機能を使用して実施されるこのような装置または方法をカバーするよう意図されている。本明細書で開示される任意の態様は、特許請求の範囲の１つまたは複数の要素によって具現化され得ることが理解されるべきである。
【００２９】
[0045]  特定の態様が本明細書で説明されるが、これらの態様の多くのバリエーションおよび並び替えが、本開示の範囲内に含まれる。好ましい態様のいくつかの利益および利点が述べられるが、本開示の範囲が特定の利益、使用、または目的に限定されることが意図されるものではない。むしろ、本開示の態様は、異なるワイヤレス技術、システム構成、ネットワーク、および送信プロトコルに広く適用可能であることが意図されており、そのいくつかは、図面および好ましい態様の下記の説明において例として図示される。詳細な説明および図面は、限定ではなくむしろ本開示の単なる例示であり、本開示の範囲は、添付の特許請求の範囲およびそれらの均等物によって定義される。
【００３０】
［実装デバイス］
[0046]  ワイヤレスネットワーク技術は、ワイヤレスローカルエリアネットワーク（ＷＬＡＮ）の様々なタイプを含み得る。ＷＬＡＮは、広く使用されるネットワーキングプロトコルを用いて、近くのデバイスをともに相互接続するために使用され得る。本明細書で説明される様々な態様は、Ｗｉ−Ｆｉ、またはより一般的には、ワイヤレスプロトコルのＩＥＥＥ ８０２．１１ファミリの任意のメンバのような、任意の通信規格を適用し得る。
【００３１】
[0047]  いくつかの態様では、ワイヤレス信号は、直交周波数分割多重化（ＯＦＤＭ）、ダイレクト・シーケンス・スペクトル拡散（ＤＳＳＳ：direct-sequence spread spectrum）通信、ＯＦＤＭとＤＳＳＳ通信の組み合わせ、または他のスキーマを使用して、高効率（high-efficiency）８０２．１１プロトコルに従って送信され得る。
【００３２】
[0048]  いくつかの実装では、ＷＬＡＮは、ワイヤレスネットワークにアクセスするコンポーネントである様々なデバイスを含む。例えば、アクセスポイント（「ＡＰ」）とクライアント（局、または「ＳＴＡ」とも呼ばれる）との２つのタイプのデバイスが存在し得る。一般に、ＡＰは、ＷＬＡＮのためのハブまたは基地局として機能し、ＳＴＡは、ＷＬＡＮのユーザとして機能する。例えば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的な接続を得るために、ワイヤレスリンクに適合するＷｉ−Ｆｉ（例えば、８０２．１１ａｘのようなＩＥＥＥ ８０２．１１プロトコル）を介してＡＰに接続する。いくつかの実装では、ＳＴＡはまた、ＡＰとしても使用され得る。
【００３３】
[0049]  本明細書で説明される技術は、直交多重化スキーマに基づく通信システムを含む、様々なブロードバンドワイヤレス通信システムのために使用され得る。このような通信システムの例は、空間分割多元接続（ＳＤＭＡ）、時分割多元接続（ＴＤＭＡ）、直交周波数分割多元接続（ＯＦＤＭＡ）システム、シングルキャリア周波数分割多元接続（ＳＣ−ＦＤＭＡ）システムなどを含む。ＳＤＭＡシステムは、複数のユーザ端末に属するデータを同時に送信するために、十分に異なる方向を利用することができる。ＴＤＭＡシステムは、送信信号を異なるタイムスロットに分割することによって、複数のユーザ端末が同じ周波数チャネルを共有することを可能にし得、各タイムスロットは、異なるユーザ端末に割り当てられる。ＴＤＭＡシステムは、ＧＭＳまたは当技術分野において知られている何らかの他の規格を実装し得る。ＯＦＤＭＡシステムは、システム帯域幅全体を複数の直交サブキャリアに分割する変調技法である、直交周波数分割多重化（ＯＦＤＭ）を利用する。これらのサブキャリアはまた、トーン、ビンなどとも呼ばれ得る。ＯＦＤＭでは、各サブキャリアは、データと共に独立して変調され得る。ＯＦＤＭシステムは、ＩＥＥＥ８０２．１１または当技術分野において知られている何らかの他の規格を実装し得る。ＳＣ−ＦＤＭＡシステムは、システム帯域幅にわたって分配されたサブキャリア上で送信するためのインターリーブされたＦＤＭＡ（ＩＦＤＭＡ）、隣接するサブキャリアのブロック上で送信するためのローカライズされたＦＤＭＡ（ＬＦＤＭＡ）、または隣接するサブキャリアの複数のブロック上で送信するための強化されたＦＤＭＡ（ＥＦＤＭＡ：enhanced FDMA）を利用し得る。一般に、変調シンボルは、ＯＦＤＭを用いて周波数領域で、およびＳＣ−ＦＤＭＡを用いて時間領域で送られる。ＳＣ−ＦＤＭＡシステムは、３ＧＰＰ（登録商標）−ＬＴＥ（登録商標）（第３世代パートナーシッププロジェクトのロングタームエボリューション）または他の規格を実装し得る。
【００３４】
[0050]  本明細書における教示は、様々なワイヤードまたはワイヤレス装置（たとえば、ノード）に組み込まれ得る（例えば、それらの中に実装される、またはそれらによって実行される）。いくつかの態様では、本明細書における教示に従って実装されるワイヤレスノードは、アクセスポイントまたはアクセス端末を備え得る。
【００３５】
[0051]  アクセスポイント（「ＡＰ」）は、ノードＢ、無線ネットワークコントローラ（「ＲＮＣ」）、ｅＮｏｄｅＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の専門用語を備え、それらとして実装され、またはそれらとして既知であり得る。
【００３６】
[0052]  局（「ＳＴＡ」）はまた、ユーザ端末、アクセス端末（「ＡＴ」）、加入者局、加入者ユニット、モバイル局、遠隔局、遠隔端末、ユーザエージェント、ユーザデバイス、ユーザ機器、または何らかの他の専門用語を備え、それらとして実装され、またはそれらとして既知であり得る。いくつかの実装では、アクセス端末は、セルラ電話、コードレス電話、セッション開始プロトコル（「ＳＩＰ」）フォン、ワイヤレスローカルループ（「ＷＬＬ」）局、携帯情報端末（「ＰＤＡ」）、ワイヤレス接続能力を有するハンドヘルドデバイス、またはワイヤレスモデムに接続された何らかの他の適切な処理デバイスを備え得る。従って、本明細書で教示される１つまたは複数の態様は、電話（例えば、セルラフォンまたはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、またはワイヤレス媒体を介して通信するように構成される任意の他の適切なデバイス内に組み込まれ得る。
【００３７】
[0053]  図１は、本開示の態様が用いられ得る、例となるワイヤレス通信システム１００を図示する。ワイヤレス通信システム１００は、例えば、８０２．１１ａｘ規格のようなワイヤレス規格に準拠して動作し得る。ワイヤレス通信システム１００は、ＡＰ １０４を含み得、それは、ＳＴＡ １０６と通信する。
【００３８】
[0054]  様々な処理および方法が、ワイヤレス通信システム１００における送信のために、ＡＰ １０４とＳＴＡ １０６との間で使用され得る。例えば、信号は、ＯＦＤＭ／ＯＦＤＭＡ技法に従って、ＡＰ １０４とＳＴＡ １０６との間で送受信され得る。この場合、ワイヤレス通信システム１００は、ＯＦＤＭ／ＯＦＤＭＡシステムと呼ばれ得る。代替的に、信号は、ＣＤＭＡ技法に従って、ＡＰ １０４とＳＴＡ １０６の間で送受信され得る。この場合、ワイヤレス通信システム１００は、ＣＤＭＡシステムと呼ばれ得る。
【００３９】
[0055]  ＡＰ １０４からＳＴＡ １０６のうちの１つまたは複数ヘの送信を容易にする通信リンクは、ダウンリンク（ＤＬ）１０８と呼ばれ、ＳＴＡ １０６のうちの１つまたは複数からＡＰ １０４への送信を容易にする通信リンクは、アップリンク（ＵＬ）１１０と呼ばれ得る。代替的に、ダウンリンク１０８は、順方向リンクまたは順方向チャネルと呼ばれ、アップリンク１１０は、逆方向リンクまたは逆方向チャネルと呼ばれ得る。
【００４０】
[0056]  ＡＰ １０４は、基本サービスエリア（ＢＳＡ）１０２におけるワイヤレス通信カバレッジを提供し得る。ＡＰ １０４に関連付けられ、かつ通信のためにＡＰ １０４を使用するＳＴＡ １０６Ａとともに、ＡＰ １０４は基本サービスセット（ＢＳＳ）と呼ばれ得る。ワイヤレス通信システム１００は、中央のＡＰ １０４を有していない可能性があるが、むしろＳＴＡ １０６間のピア・ツー・ピアネットワークとして機能し得ることに留意されたい。従って、本明細書で説明されるＡＰ １０４の機能は、代替的に、ＳＴＡ １０６のうちの１つまたは複数によって行われ得る。
【００４１】
[0057]  図２は、ワイヤレス通信システム１００内で用いられ得るワイヤレスデバイス２０２において利用され得る、様々なコンポーネントを図示する。ワイヤレスデバイス２０２は、本明細書で説明される様々な方法を実施するように構成され得るデバイスの一例であり得る。例えば、ワイヤレスデバイス２０２は、ＡＰ １０４、またはＳＴＡ １０６のうちの１つを備え得る。
【００４２】
[0058]  ワイヤレスデバイス２０２は、ワイヤレスデバイス２０２の動作を制御するプロセッサ２０４を含み得る。プロセッサ２０４はまた、中央処理装置（ＣＰＵ）とも呼ばれ得る。読み取り専用メモリ（ＲＯＭ）とランダムアクセスメモリ（ＲＡＭ）の両方を含み得るメモリ２０６は、命令およびデータをプロセッサ２０４に提供する。メモリ２０６の一部分はまた、不揮発性ランダムアクセスメモリ（ＮＶＲＡＭ）を含み得る。プロセッサ２０４は通常、メモリ２０６内に記憶されたプログラム命令に基づいて、論理および算術演算を行う。メモリ２０６内の命令は、本明細書で説明される方法を実施するために実行可能であり得る。
【００４３】
[0059]  プロセッサ２０４は、１つまたは複数のプロセッサで実装される処理システムのコンポーネントであり得るか、またはそれを備え得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理、離散ハードウェアコンポーネント、専用ハードウェア有限ステートマシン、または計算または情報の他の操作を行い得る任意の他の適切なエンティティの任意の組み合わせを用いて実装され得る。
【００４４】
[0060]  処理システムはまた、ソフトウェアを記憶するための機械可読媒体を含み得る。ソフトウェアは、ソフトウェア、ファームウェア、ミドルウェア、マイクロコード、ハードウェア記述言語で呼ばれようと、あるいはその他のもので呼ばれようと、任意のタイプの命令を意味するように広く解釈されるべきである。命令は、（例えば、ソースコードフォーマット、バイナリコードフォーマット、実行可能コードフォーマット、または任意の他の適切なコードのフォーマットにおける）コードを含み得る。これら命令は、１つまたは複数のプロセッサによって実行されるとき、本明細書で説明される様々な機能を処理システムに行わせる。
【００４５】
[0061]  ワイヤレスデバイス２０２はまた、ワイヤレスデバイス２０２と遠隔ロケーションとの間のデータの送受信を可能にする送信機２１０および受信機２１２を含み得る、ハウジング２０８を含み得る。送信機２１０および受信機２１２は、トランシーバ２１４に統合され得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得（図示されない）、それらは、例えば、ＭＩＭＯ通信中に利用され得る。
【００４６】
[0062]  ワイヤレスデバイス２０２はまた、トランシーバ２１４によって受信される信号のレベルを検出および定量化しようとするために使用され得る信号検出器２１８を含み得る。信号検出器２１８は、総エネルギー、シンボル当たりのサブキャリアごとのエネルギー、電力スペクトル密度、および他の信号のような信号を検出し得る。ワイヤレスデバイス２０２はまた、信号を処理する際に使用するための、デジタル信号プロセッサ（ＤＳＰ）２２０を含み得る。ＤＳＰ ２２０は、送信のためのデータユニットを生成するように構成され得る。いくつかの態様では、データユニットは、物理レイヤデータユニット（ＰＰＤＵ）を備え得る。いくつかの態様では、ＰＰＤＵは、パケットと呼ばれる。
【００４７】
[0063]  ワイヤレスデバイス２０２は、いくつかの態様においてユーザインターフェース２２２をさらに備え得る。ユーザインターフェース２２２は、キーパッド、マイクロフォン、スピーカ、および／またはディスプレイを備え得る。ユーザインターフェース２２２は、ワイヤレスデバイス２０２のユーザへの情報を搬送するおよび／またはユーザからの入力を受信する任意の要素またはコンポーネントを含み得る。
【００４８】
[0064]  ワイヤレスデバイス２０２の様々なコンポーネントは、バスシステム２２６によって連結され得る。バスシステム２２６は、例えば、データバスを含み得、同様に、データバスに加えて、電力バス、制御信号バス、およびステータス信号バスを含み得る。当業者は、ワイヤレスデバイス２０２のコンポーネントが連結され得るか、または何らかの他のメカニズムを使用して互いに入力を受け取るまたは提供し得ることを理解するだろう。
【００４９】
[0065]  いくつかの別個のコンポーネントが図２に図示されているが、コンポーネントのうちの１つまたは複数が組み合わされるか、または一般に実装され得ることを、当業者は理解するだろう。例えば、プロセッサ２０４は、プロセッサ２０４に関して上述される機能を実装するだけでなく、信号検出器２１８および／またはＤＳＰ ２２０に関して上述される機能を実装するためにも使用され得る。さらに、図２に図示されるコンポーネントの各々は、複数の別個の要素を使用して実装され得る。
【００５０】
[0066]  上述されるように、ワイヤレスデバイス２０２は、ＡＰ １０４またはＳＴＡ １０６を備え得、通信を送信および／または受信するために使用され得る。ワイヤレスネットワーク内のデバイス間で交換される通信は、パケットまたはフレームを備え得るデータユニットを含み得る。いくつかの態様では、データユニットは、データフレーム、制御フレーム、および／または管理フレームを含み得る。データフレームは、データをＡＰおよび／またはＳＴＡから他のＡＰおよび／またはＳＴＡに送信するために使用され得る。制御フレームは、様々な動作を行うためにおよびデータを確実に配信する（例えば、データの受信、ＡＰのポーリング、エリアクリアリング動作、チャネル取得、キャリア検知維持機能などをアクノレッジする）ために、データフレームとともに使用され得る。管理フレームは、様々な監視機能（supervisory functions）（例えば、ワイヤレスネットワークに参加する、およびワイヤレスネットワークから離れるなど）のために使用され得る。
【００５１】
[0067]  本開示のある特定の態様は、効率を改善するために最適化された方法でＡＰ １０４がＳＴＡ １０６の送信を割り振ることを可能にするのをサポートする。高効率ワイヤレス（ＨＥＷ：high efficiency wireless）局と（８０２．１１ａｘのような）８０２．１１高効率プロトコルを利用する局との両方、および（８０２．１１ｂのような）より古いまたはレガシ８０２．１１プロトコルを利用する局は、ワイヤレス媒体にアクセスする際に、互いに競合（compete）または協調し得る。いくつかの実施形態では、本明細書で説明される高効率８０２．１１プロトコルは、様々なＯＦＤＭトーンプラン（トーンマップとも呼ばれ得る）に従って相互作用することをＨＥＷおよびレガシ局に対して可能にさせ得る。いくつかの実施形態では、ＨＥＷ局は、ＯＦＤＭＡにおける多元接続技術を使用することなどによって、より効率的な方法でワイヤレス媒体にアクセスし得る。従って、集合住宅（apartment buildings）または人口密度の高い公共スペースについては、高効率８０２．１１プロトコルを使用するＡＰおよび／またはＳＴＡは、アクティブなワイヤレスデバイスの数が増加したとしても、低減されたレイテンシおよび増加したネットワークスループットを経験し得、それにより、ユーザ体験を改善する。
【００５２】
[0068]  いくつかの実施形態では、ＡＰ １０４は、ＨＥＷ ＳＴＡのための様々なＤＬトーンプランに従って、ワイヤレス媒体上で送信し得る。例えば、図１に関して、ＳＴＡ １０６Ａ−１０６Ｄは、ＨＥＷ ＳＴＡであり得る。いくつかの実施形態では、ＨＥＷ ＳＴＡは、レガシＳＴＡのものの４倍のシンボル持続時間を使用して通信し得る。従って、送信される各シンボルは、持続時間が４倍の長さであり得る。より長いシンボル持続時間を使用するときに、個々のトーンの各々は、送信される帯域幅の４分の１のみを要求し得る。例えば、様々な実施形態では、１ｘシンボル持続時間は３．２ｍｓであり得、４ｘシンボル持続時間は１２．８ｍｓであり得る。ＡＰ １０４は、通信帯域幅に基づいて、１つまたは複数のトーンプランに従って、ＨＥＷ ＳＴＡ １０６Ａ−１０６Ｄにメッセージを送信し得る。いくつかの実施形態では、ＡＰ １０４は、ＯＦＤＭＡを使用して、複数のＨＥＷ ＳＴＡに同時に送信するように構成され得る。
【００５３】
［マルチキャリア割り振りのための効率的なトーンプラン設計］
[0069]  図３は、１つの実施形態に従った、例となる２Ｎトーンプラン３００を示す。ある実施形態では、トーンプラン３００は、周波数領域内で、２ＮポイントのＦＦＴを使用して生成されるＯＦＤＭトーンに対応する。トーンプラン３００は、−ＮからＮ−１にインデックスされた２Ｎ個のＯＦＤＭトーンを含む。トーンプラン３００は、エッジトーン３１０の２つのセット、データ／パイロットトーン３２０の２つのセット、および直流（ＤＣ）トーン３３０の１つのセットを含む。様々な実施形態では、エッジトーン３１０およびＤＣトーン３３０は、ヌルであり得る。様々な実施形態では、トーンプラン３００は、別の適切な数のパイロットトーンを含む、および／または他の適切なトーンのロケーションにおけるパイロットトーンを含む。
【００５４】
[0070]  いくつかの態様では、ＯＦＤＭＡトーンプランは、様々なＩＥＥＥ ８０２．１１プロトコルと比較すると、４ｘシンボル持続時間を使用する送信のために提供され得る。例えば、４ｘシンボル持続時間は、持続時間が各々１２．８ｍｓであるいくつかのシンボルを使用し得る（一方、ある特定の他のＩＥＥＥ ８０２．１１プロトコル内のシンボルは、持続時間が３．２ｍｓであり得る）。
【００５５】
[0071]  いくつかの態様では、送信３００のデータ／パイロットトーン３２０は、任意の数の異なるユーザ間で分割され得る。例えば、データ／パイロットトーン３２０は、１〜８人のユーザ間で分割され得る。データ／パイロットトーン３２０を分割するために、ＡＰ １０４または別のデバイスは、様々なデバイスにシグナリングし得、特定の送信において（データ／パイロットトーン３２０の）どのトーン上でどのデバイスが送信または受信し得るかを示す。従って、データ／パイロットトーン３２０を分割するためのシステムおよび方法が望まれ、この分割は、トーンプランに基づき得る。
【００５６】
[0072]  トーンプランは、いくつかの異なる特性に基づいて選択され得る。例えば、大部分または全ての帯域幅にわたって一貫し得る、シンプルなトーンプランを有することが有益であり得る。例えば、ＯＦＤＭＡ送信は、２０、４０、または８０ＭＨｚを介して送信され得、これらの帯域幅のうちのいずれかのために使用され得るトーンプランを使用することが望ましいだろう。さらに、トーンプランは、より少ない数のビルディングブロックサイズ（building block sizes）を使用するという点でシンプルであり得る。例えば、トーンプランは、トーン割り振りユニット（ＴＡＵ）と呼ばれ得るユニットを含み得る。このユニットは、特定のユーザに特定量の帯域幅を割り当てるために使用され得る。例えば、１人のユーザは、いくつかのＴＡＵとして帯域幅を割り当てられ得、送信のデータ／パイロットトーン３２０は、いくつかのＴＡＵに分けられ得る。いくつかの態様では、単一サイズのＴＡＵを有することが有益であり得る。例えば、ＴＡＵの２つ以上のサイズがある場合、あるデバイスに、そのデバイスに割り振られるトーンを知らせるために、より多くのシグナリングが必要であり得る。対照的に、一貫したサイズのＴＡＵに全てのトーンが分けられる場合、デバイスへのシグナリングは、あるデバイスに、単にそのデバイスに割り当てられるＴＡＵの数を教えることを要求し得る。従って、単一のＴＡＵサイズを使用することは、シグナリングを低減し、様々なデバイスへのトーン割り振りを簡略化し得る。
【００５７】
[0073]  トーンプランはまた、効率に基づいて選択され得る。例えば、異なる帯域幅の送信（例えば、２０、４０、または８０ＭＨｚ）は、異なる数のトーンを有し得る。よって、ＴＡＵの作成の後に、より少ないトーンを余ったままにするＴＡＵサイズを選択することが有益であり得る。例えば、ＴＡＵが１００トーンであり、ある特定の送信が１９９トーンを含む場合、これは、１つのＴＡＵを作成した後に、９９トーンを余ったままにし得る。よって、９９トーンは、「余りの（leftover）」トーンと考えられ得、これは、非常に非効率的であり得る。従って、余りのトーンの数を低減することが有益であり得る。それはまた、ＵＬおよびＤＬ ＯＦＤＭＡ送信の両方で使用されることを同じトーンプランに対して可能にさせるトーンプランが使用される場合にも有益であり得る。さらに、それは、必要なときに、トーンプランが２０および４０ＭＨｚの境界を維持するように構成される場合に有益であり得る。例えば、帯域幅の２つの異なる２０または４０ＭＨｚ部分の間の境界上の割り振りを有するよりもむしろ、例えば、各２０または４０ＭＨｚ部分が互いから離れて復号されることを可能にするトーンプランを有することが望ましいだろう。例えば、それは、２０または４０ＭＨｚチャネルにアラインされる干渉パターンに対して有益であり得る。さらに、２０ＭＨｚ送信および４０ＭＨｚ送信が送信されるときのように、チャネルバインディング（channel binding）を有することが有益であり得、８０ＭＨｚを介して送信されるときの送信において、２０ＭＨｚの「ホール（hole）」を作成することが有益であり得る。これは、例えば、レガシパケットが帯域幅のこの使用されていない部分において送信されることを可能にし得る。最後に、異なる帯域幅内のような様々な異なる送信において、固定されたパイロットトーンのロケーションを提供するトーンプランを使用することもまた有利であり得る。
【００５８】
[0074]  一般に、いくつかの異なる実装が提示され得る。例えば、２つ以上の異なるトーンユニットのような、複数の異なるビルディングブロックを含むある特定の実装がなされている。例えば、ベーシックトーンユニット（ＢＴＵ）、およびベーシックトーンユニットよりも小さいスモールトーンユニット（ＳＴＵ）が存在し得る。さらに、ＢＴＵ自体のサイズは、送信の帯域幅に基づいて異なり得る。別の実装では、トーンユニットよりもむしろ、リソースブロックが使用され得る。しかしながら、いくつかの態様では、ＯＦＤＭＡにおける送信の全ての帯域幅について単一のトーン割り振りユニットＴＡＵを使用することが有益であり得る。
【００５９】
[0075]  図４は、２０ＭＨｚ、４０ＭＨｚ、および８０ＭＨｚの送信の図である。図４で示されるように、各送信は、１つまたは複数の２６トーンＴＡＵ、あるいは１つまたは複数の２４２トーンＴＡＵの組み合わせから形成され得る。一般に、ＩＥＥＥ ８０２．１１ａｘ送信における２６トーンは、２．０３ＭＨｚの帯域幅を介して送信され得、２４２トーンは、１８．９１ＭＨｚの帯域幅を介して送信され得る。例えば、１つの実装では、２５６のＦＦＴサイズを有する２０ＭＨｚ送信は、９個の２６トーンＴＡＵから形成された２３４個の割り振りトーンを含み、ＤＣトーン、エッジトーン、および他の余りのトーンのために２２個の残りのトーン（remaining tones）を残す。２３４個の割り振りトーンは、データおよびパイロットトーンとして使用され得る。別の実装では、２５６のＦＦＴサイズを有する２０ＭＨｚ送信は、１個の２４２トーンＴＡＵから形成された２４２個の割り振りトーンを含み得、ＤＣトーン、エッジトーン、および他の余りのトーンのために１４個の残りのトーンを残す。２４２個の割り振りトーンは、データおよびパイロットトーンとして使用され得る。
【００６０】
[0076]  別の例として、１つの実装では、５１２のＦＦＴサイズを有する４０ＭＨｚ送信は、１９個の２６トーンＴＡＵから形成された４９４個の割り振りトーンを含み得、ＤＣトーン、エッジトーン、および他の余りのトーンのために１８個の残りのトーンを残す。４９４個の割り振りトーンは、データおよびパイロットトーンとして使用され得る。別の実装では、５１２のＦＦＴサイズを有する４０ＭＨｚ送信は、１８個の２６トーンＴＡＵから形成された４６８個の割り振りトーンを含み、ＤＣトーン、エッジトーン、および他の余りのトーンのために４４個の残りのトーンを残す。４６８個の割り振りトーンは、データおよびパイロットトーンとして使用され得る。別の実装では、５１２のＦＦＴサイズを有する４０ＭＨｚ送信は、２個の２４２トーンＴＡＵから形成された４８４個の割り振りトーンを含み、ＤＣトーン、エッジトーン、および他の余りのトーンのために２８個の残りのトーンを残す。４８４個の割り振りトーンは、データおよびパイロットトーンとして使用され得る。
【００６１】
[0077]  別の例として、１つの実装では、１０２４のＦＦＴサイズを有する８０ＭＨｚ送信は、３８個の２６トーンＴＡＵから形成された９８８個の割り振りトーンを含み、ＤＣトーン、エッジトーン、および他の余りのトーンのために３６個の残りのトーンを残す。９８８個の割り振りトーンは、データおよびパイロットトーンとして使用され得る。別の実装では、１０２４のＦＦＴサイズを有する８０ＭＨｚ送信は、３６個の２６トーンＴＡＵから形成された９３６個の割り振りトーンを含み、ＤＣトーン、エッジトーン、および他の余りのトーンのために８８個の残りのトーンを残す。９３６個の割り振りトーンは、データおよびパイロットトーンとして使用され得る。別の実装では、１０２４のＦＦＴサイズを有する８０ＭＨｚ送信は、４個の２４２トーンＴＡＵから形成された９６８個の割り振りトーンを含み得、ＤＣトーン、エッジトーン、および他の余りのトーンのために５６個の残りのトーンを残す。９６８個の割り振りトーンは、データおよびパイロットトーンとして使用され得る。
【００６２】
[0078]  様々な実施形態では、２０Ｈｚの実装についての９番目の２６トーンブロック、および４０ＭＨｚの実装についての１９番目の２６トーンブロックのロケーションは、ＤＣと交差する（cross）かまたはエッジと交差し得る。１つの実施形態では、最後の２６トーンブロックは、ＤＣ＋余りのトーンの数が６個よりも多いときに、ＤＣの周囲に分配され得る。別の実装では、最後の２６トーンブロックは、ガードトーン＋余りのトーンの数が、１２個よりも多い２０ＭＨｚの実装のとき、および４０ＭＨｚの実装に関して１８個よりも多いとき、エッジにおいて分配され得る。１つの実施形態では、可能にされた割り振りユニットサイズは、Ｔｘモードを低減するために制限され得る。ある実施形態では、４０ＭＨｚにおける１９番目の２６トーンＲＵは、割り振りユニットが２ｘ２６である場合に使用されなくなる可能性がある（go unused）。ある実施形態では、８０ＭＨｚの実装における３７番目および３８番目の２６トーンブロックは、割り振りユニットが４ｘ２６である場合に使用されなくなる可能性がある。いくつかの実施形態では、２６トーンブロックは、図８に関して説明され得るように、余りのトーンを介して２４２トーンブロックとアラインされ得る。様々な実施形態では、２４２の割り振りは、近くの２６トーンブロックの使用を無効化（destroy）しないだろう。様々な実施形態では、余りのトーンは、余分なＤＣトーン、ガードトーンとして、あるいは共通または制御チャネルとして使用され得る。
【００６３】
[0079]  上述されるように、いくつかのトーンは、ある特定の送信における余りであり得る。これらのトーンは、いくつかの異なる用途のために使用され得る。例えば、これらのトーンは、追加のＤＣまたはエッジトーンとして使用され得る。いくつかの図示される実装は、ここでは奇数のＴＡＵを有する送信を含む場合がある。奇数のＴＡＵのために、ＴＡＵのうちの１つは、ＤＣトーンと交差する（すなわち、ＤＣトーンの各側におけるトーンを含む）可能性がある。他の図示された実装では、偶数のＴＡＵが提示されるため、ＤＣトーンと交差するＴＡＵは存在しない。
【００６４】
[0080]  いくつかの態様では、ＳＴＡが複数のＴＡＵに割り当てられる場合、全ての割り当てられたＴＡＵにわたって符号化が行われ得る。サブバンドのＯＦＤＭＡ通信について、２つのレイヤ内でインターリービングが行われ得る。始めに、デバイスの全てのビットは、デバイスに割り振られた全てのＴＡＵにわたって等しく分配され得る。例えば、ビット１、２、３、・・・Ｎは、ＴＡＵ１、２、３、・・・Ｎなどに割り当てられ得る。従って、各個々のＴＡＵは、ＴＡＵ内でインターリーブされ得る。よって、インターリーバの１つのサイズのみが使用され得、それは、ＴＡＵのサイズであり得る。分配されたＯＦＤＭＡシステムにおいて、インターリービングは、必要とされる可能性があり、または必要とされない可能性もある。いくつかの態様では、いくつのパイロットトーンがＴＡＵのために必要とされ得るかに少なくとも部分的に基づいて、ＴＡＵが選択され得る。例えば、ＴＡＵあたり２個のパイロットトーンのみが使用される実装では、２６のＴＡＵが有益であり得る。より多くのパイロットトーンが使用される実装では、他のＴＡＵが使用され得る。一般に、ＴＡＵのサイズを考慮するとき、シグナリングコスト、パイロットコスト、および余りのトーン間のトレードオフが存在する。例えば、より少ないＴＡＵが使用されるとき、必要とされるパイロットトーンの数は（データトーンの数と比較して）、ＴＡＵ内のトーンの総数の割合として増加し得る。さらに、より少ないＴＡＵが使用されるとき、シグナリングは、ＯＦＤＭＡ送信において様々なデバイスに割り振られなければならないＴＡＵのより多くの総数が存在するため、送信するためのより多くのデータを要求する。しかしながら、より多くのＴＡＵが使用される際、より多くの余りのトーンが潜在的に存在し、それは、所与の帯域幅のために全体のスループットを低減し、非効率的であり得る。
【００６５】
[0081]  図５Ａ−５Ｃは、様々な実装に従った、２０ＭＨｚ送信を図示する。特に、図示される２０ＭＨｚ送信は、図４に関して上述される実施形態を示す。２６トーンＴＡＵを使用する実装について、各２０ＭＨｚ送信は、ｆｌｏｏｒ（（２５６−１４）／２６）＊２６＝２３４に等しいＯＦＤＭＡのためのいくつかの使用可能なトーンを含む。従って、２６トーンＴＡＵを使用する実装は、単一の２４２トーンＴＡＵを有する実装と比較して、８個の追加の余りのトーンを有する。このような実装では、ＤＣおよびエッジトーンの最大数は、２５６−２３４＝２２である。一般に、２６トーンＴＡＵの各送信は、Ｘ個の左のエッジトーン、Ｚ個のＤＣトーン、およびＹ個の右のガードトーンのように、これらのＤＣおよびエッジトーンを分配し得る。いくつかの実施形態では、右のエッジトーンＹの数は、左のエッジトーンＸの数よりも１つ少ない。さらに、いくつかの実施形態では、ＤＣトーンＺの数は、３以上であり、かつ奇数である。よって、２６トーンＴＡＵを使用する様々な実装は、１１個のＤＣトーンと１１個のエッジトーン、９個のＤＣトーンと１３個のエッジトーン、７個のＤＣトーンと１５個のエッジトーン、５個のＤＣトーンと１７個のエッジトーン、または３個のＤＣトーンと１９個のエッジトーンを使用することができる。
【００６６】
[0082]  図５Ａは、２６トーン割り振りを使用する、例となる２０ＭＨｚ送信５００Ａの図である。この２０ＭＨｚ送信は、合計で２５６個のトーンを含む。この送信は、Ｘ個の左のエッジトーンとＹ個の右のエッジトーンを含む。エッジトーンは、それらの送信とワイヤレス媒体の他の部分で発生し得る送信とにおけるデータトーン間にバッファを提供するために、それらの上にデータのない状態で送信され得る。送信は、Ｚ個のＤＣトーンをさらに含み、それは、送信内の全てのトーンの中央に置かれ得る。例えば、送信は、（左側の）−１２８から（右側の）１２７までのインデックス番号を使用して順次番号付けされたトーンを含み得る。ＤＣトーンは、トーンの中央にあり得る。ある実施形態では、Ｘ+Ｙ+Ｚ=２２であり、Ｚは３以上の奇数の整数である。
【００６７】
[0083]  送信５００Ａは、ＤＣトーンの左側に４個の連続する２６トーン割り振りを含み、ＤＣトーンの右側に４個の連続する２６トーン割り振りを含み得る。さらに、送信５００Ａは、ＤＣトーンの各側に、１３個の追加のデータトーンを含み得る。これら各側の１３個の追加のデータトーンは、９番目の２６トーン割り振りを形成するために互いに組み合わせられ得る。従って、送信５００Ａは、９個の２６トーン割り振りを含み得、その各々は、２４個のデータトーンと２個のパイロットトーンを含み得る。
【００６８】
[0084]  様々な実施形態では、９番目の２６トーン割り振りは、送信５００Ａが７個よりも多いＤＣトーンを有するときに、ＤＣトーンの各側に位置付けられ得る。別の実施形態では、９番目の２６トーン割り振りは、下記の図５Ｂで示されるように、送信が１３個よりも多いエッジトーンを有するときに、送信のエッジに位置付けられ得る。
【００６９】
[0085]  図５Ｂは、２６トーン割り振りを使用する、別の例となる２０ＭＨｚ送信の５００Ｂの図である。この２０ＭＨｚ送信は、合計で２５６個のトーンを含む。この送信は、Ｘ個の左のエッジトーンとＹ個の右のエッジトーンを含む。エッジトーンは、それらの送信とワイヤレス媒体の他の部分で発生し得る送信とにおけるデータトーン間にバッファを提供するために、それらの上にデータのない状態で送信され得る。送信は、Ｚ個のＤＣトーンをさらに含み、それは、送信内の全てのトーンの中央に置かれ得る。例えば、送信は、（左側の）−１２８から（右側の）１２７までのインデックス番号を使用して順次番号付けされたトーンを含み得る。ＤＣトーンは、トーンの中央にあり得る。
【００７０】
[0086]  送信５００Ｂは、ＤＣトーンの左側に４個の連続する２６トーン割り振りを含み、ＤＣトーンの右側に４個の連続する２６トーン割り振りを含み得る。さらに、送信５００Ｂは、最初の８個の２６トーン割り振りの各側に、１３個の追加のデータトーンを含み得る。これら各側の１３個の追加のデータトーンは、９番目の２６トーン割り振りを形成するために互いに組み合わせられ得る。従って、送信５００Ｂは、９個の２６トーン割り振りを含み得、その各々は、２４個のデータトーンと２個のパイロットトーンを含み得る。
【００７１】
[0087]  様々な実施形態では、９番目の２６トーン割り振りは、送信５００Ｂが１３個よりも多いエッジトーンを有するときに、送信のエッジに位置付けられ得る。別の実施形態では、９番目の２６トーン割り振りは、上記の図５Ａで示されるように、送信が７個よりも多いＤＣトーンを有するとき、ＤＣトーンの各側に位置付けられ得る。
【００７２】
[0088]  図５Ｃは、２４２トーン割り振りを使用する、別の例となる２０ＭＨｚ送信の５００Ｃの図である。図示されるように、２０ＭＨｚ送信は、単一の２４２トーン割り振りと３個のＤＣトーンとを足したものを（２０ＭＨｚ部分の中央に）含み得る。いくつかの態様では、この送信は、６個の左のエッジトーンと５個の右のエッジトーン、並びに３個のＤＣトーンを含み得る。
【００７３】
[0089]  いくつかの実施形態では、２０ＭＨｚ送信５００Ｃは、ＩＥＥＥ ８０２．１１ａｃ ＶＨＴ ８０（超高スループット（Very High Throughput）８０ＭＨｚ）送信に基づくトーンプランを使用し得る。この２０ＭＨｚパケットが８０２．１１ａｃに関連する４ｘシンボル持続時間を含み得るため、このパケットは、８０２．１１ａｃにおける８０ＭＨｚ送信と同じ数のトーンを有し得る。よって、８０２．１１ａｃからの８０ＭＨｚ送信は、ここでは２０ＭＨｚ送信として使用され得る。しかしながら、これと同時に起こり得る１つの問題は、このような送信が３つのＤＣトーンしか含まないということである。これは、４ｘシンボル持続時間送信のために十分な数のＤＣトーンではない可能性がある。４０ＭＨｚ送信では、新しいトーンプランが使用されるか、または２つのＶＨＴ ８０送信（ＶＨＴ ８０＋８０またはＶＨＴ１６０）が使用され得る。例えば、８０２．１１ａｃでは、１６０ＭＨｚ送信は、２回複製される８０ＭＨｚ ＶＨＴ ８０トーンプランを使用することによって送信され得る。８０ＭＨｚ送信について、これは、新しいトーンプランを使用し得るか、または複製された４０ＭＨｚトーンプラン（すなわち、ＩＥＥＥ ８０２．１１ａｃからの４つのＶＨＴ ８０送信）を使用し得る。しかしながら、一般に、データトーンの数が増大するにつれてパイロットトーンの数が線形に増大しない可能性があるため、これらの送信を複製することは、そうではない場合に必要とされ得るよりも、より多くのパイロットトーンを有することを引き起こし得る。すなわち、より多くの送信では、比例的により少ないパイロットトーンが必要とされ得る。例えば、それは、データトーンの数を２倍にする可能性があり得る一方、パイロットトーンも２倍にすることを要求するよりもむしろ、２個の追加のパイロットトーンのみを必要とする。
【００７４】
[0090]  送信の各２０ＭＨｚ部分が、図５ＣのＶＨＴ ８０のようなトーンプラン（VHT80-like tone plan）（２０ＭＨｚ部分が１つのデバイスのみに割り当てられるとき）か、または例えば図５Ａ−５Ｂにおいて上述される９個の２６トーンのトーングループのいずれかを使用し得る場合がある。単一のデバイスに送信されるとき、ＶＨＴ ８０のようなトーンプランを使用して送信することが、２０ＭＨｚにおいて２３４個のデータトーンを可能にし得る一方、２６トーンのトーングループ送信を使用することは、２１６個のデータトーン（各々２４個のデータトーンと２個のパイロットトーンを有する９個のトーングループ）のみを可能にし得ることがわかり得る。従って、可能なときには、所与の帯域幅において送信されるより多くのデータトーンを可能にするために、２４２個の使用可能なトーンのＶＨＴ ８０のような部分を使用することがより効率的であり得る。このような２０ＭＨｚ部分の使用は、２０ＭＨｚの部分が、より大きな送信ではなく、２０ＭＨｚ送信のみを受信し得るように構成され得る「ＨＥ ２０モード」デバイスによって受信され得るように、それ自体のエッジトーンとＤＣトーンとを含むことを送信の各２０ＭＨｚ部分に可能にさせ得ることもわかり得る。
【００７５】
[0091]  図６Ａ−６Ｄは、様々な実装に従った４０ＭＨｚ送信を図示する。特に、図示される４０ＭＨｚ送信は、図４に関して上述される実施形態を示す。１９個の２６トーンＴＡＵを使用する実装について、各４０ＭＨｚ送信は、ｆｌｏｏｒ（（５１２−１４）／２６）＊２６＝１９＊２６＝４９４に等しいＯＦＤＭＡのためのいくつかの使用可能なトーンを含み、それは、２個の２４２トーンＴＡＵ（２＊２４２＝４８４）を使用する実装に関してよりも多く、１８個の２６トーンＴＡＵ（１８＊２６＝４６８）を使用する実装に関してよりも多い。このような実装では、ＤＣおよびエッジトーンの最大数は、１９個の２６トーンＴＡＵを使用する実装については１８、２個の２４２トーンＴＡＵを使用する実装については２８、および１８個の２６トーンＴＡＵを使用する実装については４４である。一般に、各送信は、Ｘ個の左のエッジトーン、Ｚ個のＤＣトーン、およびＹ個の右のガードトーンのように、これらのＤＣおよびエッジトーンを分配し得る。いくつかの実施形態では、右のエッジトーンＹの数は、左のエッジトーンＸの数よりも１つ少ない。さらに、いくつかの実施形態では、ＤＣトーンＺの数は、３以上であり、かつ奇数である。よって、１９個の２６トーンＴＡＵを使用する様々な実装は、３個のＤＣトーンと１５個のエッジトーン、５個のＤＣトーンと１３個のエッジトーン、または７個のＤＣトーンと１１個のエッジトーンを使用することができる。サブ割り振り（sub-allocation）ＤＣトーンを用いない２個の２４２トーンＴＡＵを使用する様々な実装は、９個のＤＣトーンと１９個のエッジトーン、７個のＤＣトーンと２１個のエッジトーン、５個のＤＣトーンと２３個のエッジトーン、または３個のＤＣトーンと２５個のエッジトーンを使用することができる。サブ割り振りＤＣトーンを用いる２個の２４２トーンＴＡＵを使用する様々な実装は、１１個のＤＣトーン、１１個のエッジトーン、および３個のサブ割り振りＤＣトーンの２つのセットを使用することができる。１８個の２６トーンＴＡＵを使用する様々な実装は、５個のＤＣトーンと３９個のエッジトーン、７個のＤＣトーンと３７個のエッジトーン使用することができ、サブ割り振りＤＣトーンを用いずに以下同様に行われる。１８個の２６トーンＴＡＵを使用する他の実装は、３個のＤＣトーンと１９個のエッジトーンを使用することができる。
【００７６】
[0092]  図６Ａは、追加の使用可能なトーンとして２０ＭＨｚに互換性のある送信における、ある特定のトーンを使用する４０ＭＨｚ送信の図である。例えば、ある特定の態様では、所与の送信でデータを送受信している全てのＳＴＡは、４０ＭＨｚ送信と互換性があり得る。すなわち、所与の送信において、それ自体のガードおよびＤＣトーンを含む２０ＭＨｚ部分を必要とする任意のＳＴＡは存在しない可能性がある。従って、あるメカニズムを提供することが有益であり得、それにより、送信６００ＡにおけるガードまたはＤＣトーンである特定のトーンが、それらが使用可能なトーン（デバイスに割り当てられ得るパイロットまたはデータトーン）となるように「捕捉され（grabbed）」得る。よって、送信６００Ａは、同じトーンロケーションで送信５００Ａの１８個の２６トーン割り振りの各々を含む。
【００７７】
[0093]  しかしながら、これに加えて、送信６００Ａは、デバイスに割り当てられ得る１つの追加の２６トーン割り振りを含む。この追加の２６トーン割り振りは、そうでない場合に送信６００Ａにおける２０ＭＨｚ部分のためのＤＣトーンであり得る、１４個のトーン（各側７個）で構成される。ＨＥ ２０モードデバイスが送信６００Ａ内に含まれないため、これらの追加のＤＣトーンは、必要とされない可能性がある。従って、これらの１４個のトーンは、使用可能なトーンとして再利用され（repurposed）得る。さらに、送信６００Ａの１５個の中央のＤＣトーンの各側からの５個のトーン（合計で１０個のトーン）も同様に、使用可能なトーンとして再利用され得る。これは、５個のＤＣトーンのみを有する送信６００Ａをもたらし得る。最後に、送信２９５０もまた、使用可能なトーンである送信６００Ａ中のガードトーンからのものである再利用された各側の１つのトーンを有し得る。
【００７８】
[0094]  よって、送信６００Ａは、２つの送信５００Ａのトーン割り振りユニットの各々を含み得る。しかしながら、送信６００Ａは、１つの追加のトーン割り振りユニットをさらに含み得る。この追加のトーン割り振りユニットは、２個のエッジトーン、１４個の「ＨＥ ２０」ＤＣトーン、および１０個のＤＣトーンとして、２つの送信５００Ａにおいて使用されたトーンで構成され得る。これらの２６個のトーンは、送信６００Ａが１９個の２６トーン割り振りを含み得るように、１つの追加のトーン割り振りユニットを形成するために互いに組み合わせられ得る。
【００７９】
[0095]  送信６００Ａは、Ｘ個の左のエッジトーンとＹ個の右のエッジトーンを含む。エッジトーンは、それらの送信とワイヤレス媒体の他の部分で発生し得る送信とにおけるデータトーン間にバッファを提供するために、それらの上にデータのない状態で送信され得る。送信６００Ａは、Ｚ個のＤＣトーンをさらに含み、それは、送信内の全てのトーンの中央に置かれ得る。例えば、送信６００Ａは、（左側の）−２５６から（右側の）２５５までのインデックス番号を使用して順次番号付けされたトーンを含み得る。ＤＣトーンは、トーンの中央にあり得る。ある実施形態では、Ｘ＋Ｙ＋Ｚ＝１８であり、Ｚは３以上の奇数の整数である。ある実施形態では、送信６００Ａは、ＨＥ ２０をサポートしない。
【００８０】
[0096]  図６Ｂは、２６トーン割り振りを使用する、例となる４０ＭＨｚ送信の６００Ｂおよび６５０Ｂの図である。４０ＭＨｚ送信６００Ｂおよび６５０Ｂは、合計で５１２個のトーンを含む。この送信は、Ｘ個の左のエッジトーンとＹ個の右のエッジトーンを含む。エッジトーンは、それらの送信とワイヤレス媒体の他の部分で発生し得る送信とにおけるデータトーン間にバッファを提供するために、それらの上にデータのない状態で送信され得る。送信は、Ｚ個のＤＣトーンをさらに含み、それは、送信内の全てのトーンの中央に置かれ得る。例えば、送信は、（左側の）−２５６から（右側の）２５５までのインデックス番号を使用して順次番号付けされたトーンを含み得る。ＤＣトーンは、トーンの中央にあり得る。ある実施形態では、Ｘ＋Ｙ＋Ｚ＝１８であり、Ｚは３以上の奇数の整数である。
【００８１】
[0097]  送信６００Ｂは、ＤＣトーンの左側に９個の連続する２６トーン割り振りを含み、ＤＣトーンの右側に９個の連続する２６トーン割り振りを含み得る。さらに、送信６００Ｂは、ＤＣトーンの各側に、１３個の追加のデータトーンを含み得る。これら各側の１３個の追加のデータトーンは、１９番目の２６トーン割り振りを形成するために互いに組み合わせられ得る。従って、送信６００Ｂは、１９個の２６トーン割り振りを含み、その各々は、２４個のデータトーンと２個のパイロットトーンを含み得る。
【００８２】
[0098]  様々な実施形態では、１９番目の２６トーン割り振りは、送信６００Ｂが７個以上のＤＣトーンを有するときに、ＤＣトーンの各側に位置付けられ得る。別の実施形態では、１９番目の２６トーン割り振りは、送信が１９個以上のエッジトーンを有するときに、送信のエッジに位置付けられ得る。ある実施形態では、送信６００Ｂは、ＨＥ ２０をサポートしない。
【００８３】
[0099]  送信６５０Ｃは、ＤＣトーンの左側に９個の連続する２６トーン割り振りを含み、ＤＣトーンの右側に９個の連続する２６トーン割り振りを含み得る。さらに、送信６５０Ｃは、最初の１８個の２６トーン割り振りの各側に、１３個の追加のデータトーンを含み得る。これら各側の１３個の追加のデータトーンは、１９番目の２６トーン割り振りを形成するために互いに組み合わせられ得る。従って、送信６５０Ｃは、１９個の２６トーン割り振りを含み、その各々は、２４個のデータトーンと２個のパイロットトーンを含み得る。
【００８４】
[00100]  様々な実施形態では、送信６５０Ｃが１９個以上のエッジトーンを有するときに、１９番目の２６トーン割り振りは、送信のエッジに位置付けられ得る。別の実施形態では、送信が７以上のＤＣトーンを有するときに、１９番目の２６トーン割り振りは、ＤＣトーンの各側に位置付けられ得る。ある実施形態では、送信６５０Ｂは、ＨＥ ２０をサポートしない。
【００８５】
[00101]  図６Ｃは、２４２トーン割り振りを使用する、例となる４０ＭＨｚ送信６００Ｃおよび６５０Ｃの図である。図示されるように、４０ＭＨｚ送信は、３個のＤＣトーンを有する（２０ＭＨｚ部分の中央、送信６００Ｃ参照）か、またはサブＤＣトーンを有さない（送信６５０Ｃ参照）２個の２４２トーン割り振りを含み得る。いくつかの態様では、この送信６００Ｃは、６個の左のエッジトーンと５個の右のエッジトーン、並びに１１個のＤＣトーンを含み得る（これは、２つの２０ＭＨｚ部分の左および右のエッジトーンから構成されることがわかり得る）。この送信６５０Ｃは、Ｘ個の左のエッジトーンとＹ個の右のエッジトーンを含み得る。エッジトーンは、それらの送信とワイヤレス媒体の他の部分で発生し得る送信とにおけるデータトーン間にバッファを提供するために、それらの上にデータのない状態で送信され得る。送信６５０Ｃは、Ｚ個のＤＣトーンをさらに含み、それは、送信内の全てのトーンの中央に置かれ得る。この送信は、Ｘ個の左のエッジトーンとＹ個の右のエッジトーンを含む。ある実施形態では、Ｘ＋Ｙ＋Ｚ＝２８であり、Ｚは３以上の奇数の整数である。いくつかの実施形態では、送信６００ＣはＨＥ ２０をサポートし、一方送信６００ＤはＨＥ ２０をサポートしない。
【００８６】
[00102]  図６Ｄは、２６トーン割り振りを使用する、例となる４０ＭＨｚ送信６００Ｄおよび６５０Ｄの図である。図示されるように、４０ＭＨｚ送信６００Ｄは、２つの２０ＭＨｚ送信５００Ａを含み、４０ＭＨｚ送信６５０Ｄは、２つの２０ＭＨｚ送信５００Ｂを含む。送信６００Ｄおよび６５０Ｄは、Ｘ個の左のエッジトーンとＹ個の右のエッジトーンを含み得る。エッジトーンは、それらの送信とワイヤレス媒体の他の部分で発生し得る送信とにおけるデータトーン間にバッファを提供するために、それらの上にデータのない状態で送信され得る。送信６００Ｄおよび６５０Ｄは、Ｚ個のサブ割り振りＤＣトーンの２つのセットと、Ｘ＋Ｙ個のＤＣトーンをさらに含み、それらは、送信内の全てのトーンの中央に置かれ得る。ある実施形態では、Ｘ＋Ｙ＋Ｚ＝２２であり、Ｚは３以上の奇数の整数である。ある実施形態では、送信６００Ｄおよび６５０Ｄは、ＨＥ ２０をサポートし得る。
【００８７】
[00103]  いくつかの実施形態では、（ＤＣおよびエッジトーンとともに）共通または制御チャネルは、余りのトーンを使用し得る。例えば、２０ＭＨｚ送信について、共通／制御リソースブロックは、余りのトーンおよび／または９番目の２６トーンブロックであるように選択され得る。４０ＭＨｚ送信について、共通／制御リソースブロックは、余りのトーンおよび／または１９番目の２６トーンブロックであるように選択され得る。４０ＭＨｚ送信について、共通／制御リソースブロックは、余りのトーンであるように選択され得る。様々な実施形態では、共通／制御チャネルは、ＵＬスケジュールなどについての第三者情報（bystander information）に関するＵＬにおいて、時間／周波数同期、サウンディング、パケット検出、適切なＣＣＡについての近隣のリストの収集などに関する、ＵＬおよび／またはＤＬのいずれかのために使用され得る。いくつかの実施形態では、ＡＰ １０４は、共通／制御チャネル上での送信を担う。他の実施形態では、ＳＴＡまたは第三者は、共通／制御チャネルを送信することができる。いくつかの実施形態では、第三者は、ＵＬ共通／制御チャネルをモニタリングし、その上のメッセージを処理し得る。いくつかの実施形態では、マルチユーザグループ内の全てのＳＴＡ １０６は、共通／制御チャネル上のＤＬメッセージを処理し得る。
【００８８】
[00104]  図４に戻って参照すると、送信は、１つまたは複数の２６トーンＴＡＵ、あるいは１つまたは複数の２４２トーンＴＡＵの組み合わせから形成され得る。例えば、２０ＭＨｚ送信は、本明細書で説明される２０ＭＨｚ送信のうちのいずれかから形成され得る。４０ＭＨｚ送信は、本明細書で説明される２０ＭＨｚ送信または４０ＭＨｚ送信の任意の組み合わせから形成され得る。８０ＭＨｚ送信は、本明細書で説明される２０ＭＨｚ、４０ＭＨｚ、または８０ＭＨｚ送信の任意の組み合わせから形成され得る。
【００８９】
[00105]  図７は、例となる２０ＭＨｚ送信７００Ａ、４０ＭＨｚ送信７００Ｂ、および８０ＭＨｚ送信７００Ｃの図である。図示された実施形態では、２０ＭＨｚ送信７００Ａは、９個の２６トーンブロックまたは１個の２４２トーンブロックのいずれかから形成され得る。例えば、２０ＭＨｚ送信７００Ａは、２０ＭＨｚ送信５００Ａ、５００Ｂ、または５００Ｃのうちのいずれかから形成され得る。
【００９０】
[00106]  図示される４０ＭＨｚ送信７００Ｂは、２６トーンブロックおよび２４２トーンブロックの任意の組み合わせから形成され得る。例えば、４０ＭＨｚ送信７００Ｂは、１９個の２６トーンブロック、１個の２４２トーンブロックと９個の２６トーンブロック、または２個の２４２トーンブロックから形成され得る。従って、４０ＭＨｚ送信７００Ｂは、２０ＭＨｚ送信５００Ａ、５００Ｂ、および５００Ｃ、４０ＭＨｚ送信６００Ａおよび６００Ｂ、並びに、４０ＭＨｚ送信６００Ｃおよび６５０Ｃの任意の組み合わせから形成され得る。本明細書では送信が特定の順序で図示されるが、当業者は、構成要素（constituent）の送信が本開示の範囲内で再配置または並べ替えされ得ることを理解するだろう。
【００９１】
[00107]  図示される８０ＭＨｚ送信７００Ｃは、２６トーンブロックおよび２４２トーンブロックの任意の組み合わせから形成され得る。例えば、８０ＭＨｚ送信７００Ｃは、３８個の２６トーンブロック、１個の２４２トーンブロックと４７個の２６トーンブロック、２個の２４２トーンブロックと３８個の２６トーンブロック、３個の２４２トーンブロックと９個の２６トーンブロック、または４個の２４２トーンブロックから形成され得る。従って、８０ＭＨｚ送信７００Ｃは、２０ＭＨｚ送信５００Ａ、５００Ｂ、および５００Ｃ、４０ＭＨｚ送信６００Ａおよび６００Ｂ、並びに、４０ＭＨｚ送信６００Ｃおよび６５０Ｃの任意の組み合わせから形成され得る。本明細書では送信が特定の順序で図示されるが、当業者は、構成要素の送信が本開示の範囲内で再配置または並べ替えされ得ることを理解するだろう。
【００９２】
[00108]  様々な実施形態では、ＡＰ １０４は、各送信内のブロックの様々な組み合わせを１つまたは複数のＳＴＡ １０６に割り当て得る。構成要素ブロックの各組み合わせと順序、および割り当てサイズは、本明細書では割り振りタイプと呼ばれ、それは、割り振りスキーマとも呼ばれ得る。例えば、例として上述される４０ＭＨｚ送信７００Ｂを使用して、第１の割り振りタイプは、単一の２６トーンブロックの１９個の別個の割り振りを含み得る。第２の例となる割り振りタイプは、２個の２６トーンブロック（割り振り当たり５２トーン）の９個の別個の割り振りと、単一の２６トーンブロックの単一の追加の割り振りとを含み得る。第３の例となる割り振りタイプは、単一の２４２トーンブロックの単一の割り振りと、単一の２６トーンブロックの９個の別個の割り振りとを含み得る。
【００９３】
[00109]  前述の割り振りタイプは、例示の目的のために含まれており、本明細書の様々な実施形態は、任意の特定の割り振りタイプに限定されない。一般に、ＡＰ １０４またはＳＴＡ １０６は、各帯域幅ＢＷについて、いくつかの割り振りタイプＮＡｌｌｏｃＴｙｐｅｓ（ＢＷ）をサポートし得る。各割り振りタイプ内に、Ｎａｌｌｏｃの別個の割り振りが存在し得る。様々な実施形態では、各割り振りは、割り振りインデックスによって識別され得、それは、ｌｏｇ２（ＮＡｌｌｏｃＴｙｐｅｓ（ＢＷ））ビットであり得る。上述されるように、各割り振りは、様々なサイズ（例えば、２６トーンブロックおよび／または２４２トーンブロックの倍数）であり得、トーンブロックの様々な組み合わせを含み得る。割り振りタイプの追加の実施形態が、図８Ａ−８Ｆに関して下記で説明される。
【００９４】
[00110]  図８Ａは、２０ＭＨｚ送信のための、５つの例となる割り振りタイプ８００Ａ−８００Ｄを図示する。第１の例となる割り振りタイプ８００Ａは、単一の２６トーンブロックの９個の別個の割り振りＡ−Ｉを含む。第２の例となる割り振りタイプ８００Ｂは、各々２個の２６トーンブロック（割り振り当たり合計５２トーン）の４個の別個の割り振りＡ−Ｄと、単一の２６トーンブロックの単一の割り振りＥとの、合計５個の割り振りを含む。第３の例となる割り振りタイプ８００Ｃは、各々３個の２６トーンブロック（割り振り当たり合計７８トーン）の３個の別個の割り振りＡ−Ｃを含む。第４の例となる割り振りタイプ８００Ｄは、４個の２６トーンブロック（割り振り当たり合計１０４トーン）の１個の割り振りＡと、５個の２６トーンブロック（割り振り当たり合計１３０トーン）の１個の割り振りＢとを含む。
【００９５】
[00111]  図８Ａは、２０ＭＨｚ送信のための、４つの特定の例となる割り振りタイプ８００Ａ−８００Ｄを示しているが、他の割り振りタイプは、２６トーンブロックと２４２トーンブロックの任意の他の組み合わせを含み得る。例えば、第５の例となる割り振りタイプは、単一の２４２トーンブロックの単一の割り振りを含み得る。さらに、割り振りは、連続的なトーンブロックのみを含むように示されるが、他の実施形態は、非連続的な割り振りを含み得る。
【００９６】
[00112]  図８Ｂは、図８Ａの割り振りタイプ８００Ａ−８００Ｄのための例となる割り振りインデックスを示す。示されるように、９個の割り振りを有する第１の割り振りタイプ８００Ａは、０ｂ００の割り振りインデックスを割り当てられ得る。５個の割り振りを有する第２の割り振りタイプ８００Ｂは、０ｂ０１の割り振りインデックスを割り当てられ得る。３つの割り振りを有する第３の割り振りタイプ８００Ｃは、０ｂ１０の割り振りインデックスを割り当てられ得る。２つの割り振りを有する第４の割り振りタイプ８００Ｄは、０ｂ１１の割り振りインデックスを割り当てられ得る。２ビットの割り振りインデックスが図８Ｂに示されるが、より多くのインデックスが使用され得る。様々な実施形態では、割り振りインデックスは、１〜６ビットの間であり得る。いくつかの実施形態では、割り振りインデックスは、２〜４ビットの間であり得る。従って、いくつかの実施形態では、最大で１６個の異なる割り振りタイプが存在し得る。
【００９７】
[00113]  図８Ｃは、４０ＭＨｚ送信のための、５つの例となる割り振りタイプ８１０Ａ−８１０Ｄを図示する。第１の例となる割り振りタイプ８１０Ａは、各々２個の２６トーンブロック（割り振り当たり合計５２トーン）の９個の別個の割り振りＡ−Ｉと、単一の２６トーンブロックの単一の割り振りＪとの、合計１０個の割り振りを含む。第２の例となる割り振りタイプ８１０Ｂは、２４２トーンブロックの単一の割り振りＡと、各々単一の２６トーンブロックの９個の別個の割り振りＢ−Ｊの、合計１０個の割り振りを含む。第３の例となる割り振りタイプ８１０は、２４２トーンブロックの単一の割り振りＡと、各々２個の２６トーンブロック（割り振り当たり合計５２トーン）の４個の別個の割り振りＢ−Ｅと、２６トーンブロックの単一の割り振りＦとの、合計６個の割り振りを含む。第４の例となる割り振りタイプ８１０Ｄは、単一の２４２トーンブロックの２つの別個の割り振りＡ−Ｂを含む。
【００９８】
[00114]  図８Ｃは、４０ＭＨｚ送信のための、４つの特定の例となる割り振りタイプ８１０Ａ−８１０Ｄを示しているが、他の割り振りタイプは、２６トーンブロックと２４２トーンブロックの任意の他の組み合わせを含み得る。例えば、第５の例となる割り振りタイプは、割り振りタイプ８１０Ｃを含み、順序のみが逆転される。従って、第５の例となる割り振りタイプは、２６トーンブロックの単一の割り振りＡと、各々２個の２６トーンブロック（割り振り当たり合計５２トーン）の４個の別個の割り振りＢ−Ｅと、２４２トーンブロックの単一の割り振りＦとを含み得る。さらに、割り振りは、連続的なトーンブロックのみを含むように示されるが、他の実施形態は、非連続的な割り振りを含み得る。
【００９９】
[00115]  図８Ｄは、図８Ｃの割り振りタイプ８１０Ａ−８１０Ｄのための例となる割り振りインデックスを示す。示されるように、１０個の割り振りを有する第１の割り振りタイプ８１０Ａは、０ｂ００の割り振りインデックスを割り当てられ得る。１０個の割り振りを有する第２の割り振りタイプ８１０Ｂは、０ｂ０１の割り振りインデックスを割り当てられ得る。６個の割り振りを有する第３の割り振りタイプ８１０Ｃは、０ｂ１０の割り振りインデックスを割り当てられ得る。２つの割り振りを有する第４の割り振りタイプ８１０Ｄは、０ｂ１１の割り振りインデックスを割り当てられ得る。２ビットの割り振りインデックスが図８Ｄに示されるが、より多くのインデックスが使用され得る。様々な実施形態では、割り振りインデックスは、１〜６ビットの間であり得る。いくつかの実施形態では、割り振りインデックスは、２〜４ビットの間であり得る。従って、いくつかの実施形態では、最大で１６個の異なる割り振りタイプが存在し得る。
【０１００】
[00116]  図８Ｅは、８０ＭＨｚ送信のための、５つの例となる割り振りタイプ８２０Ａ−８２０Ｄを図示する。第１の例となる割り振りタイプ８２０Ａは、各々４個の２６トーンブロック（割り振り当たり合計１０４トーン）の１０個の別個の割り振りＡ−Ｊを含む。第２の例となる割り振りタイプ８２０は、２４２トーンブロックの単一の割り振りＡと、各々４個の２６トーンブロック（割り振り当たり合計１０４トーン）の７個の別個の割り振りＢ−Ｈとの合計８個の割り振りを含む。第３の例となる割り振りタイプ８２０は、各々２４２トーンブロックの２個の別個の割り振りＡ−Ｂと、各々３個の２６トーンブロック（割り振り当たり合計７８トーン）の単一の割り振りＣと、各々４個の２６トーンブロック（割り振り当たり合計１０４トーン）の４個の別個の割り振りＤ−Ｇとの、合計７個の割り振りを含む。第４の例となる割り振りタイプ８２０Ｄは、単一の２４２トーンブロックの４個の割り振りＡ−Ｄを含む。
【０１０１】
[00117]  図８Ｅは、８０ＭＨｚ送信のための、４つの特定の例となる割り振りタイプ８２０Ａ−８２０Ｄを示しているが、他の割り振りタイプは、２６トーンブロックおよび２４２トーンブロックの任意の他の組み合わせを含み得る。例えば、第５の例となる割り振りタイプは、割り振りＡが割り振りＢおよびＣと交換された状態の、割り振りタイプ８２０Ｂを含み得る。従って、第５の例となる割り振りタイプは、各々４個の２６トーンブロック（割り振り当たり合計１０４トーン）の単一の割り振りＡと、各々５個の２６トーンブロック（割り振り当たり合計１３０トーン）の単一の割り振りＢと、２４２トーンブロックの単一の割り振りＣと、各々３個の２６トーンブロック（割り振り当たり合計７８トーン）の単一の割り振りＤと、各々４個の２６トーンブロック（割り振り当たり合計１０４トーン）の別個の割り振りＥ−Ｈの、合計８個の割り振りを含み得る。さらに、割り振りは、連続的なトーンブロックのみを含むように示されるが、他の実施形態は、非連続的な割り振りを含み得る。
【０１０２】
[00118]  図８Ｆは、図８Ｅの割り振りタイプ８２０Ａ−８２０Ｄのための例となる割り振りインデックスを示す。示されるように、１０個の割り振りを有する第１の割り振りタイプ８２０Ａは、０ｂ００の割り振りインデックスを割り当てられ得る。８個の割り振りを有する第２の割り振りタイプ８２０Ｂは、０ｂ０１の割り振りインデックスを割り当てられ得る。７個の割り振りを有する第３の割り振りタイプ８２０Ｃは、０ｂ１０の割り振りインデックスを割り当てられ得る。４個の割り振りを有する第４の割り振りタイプ８２０Ｄは、０ｂ１１の割り振りインデックスを割り当てられ得る。２ビットの割り振りインデックスが図８Ｆに示されるが、より多くのインデックスが使用され得る。様々な実施形態では、割り振りインデックスは、１〜６ビットの間であり得る。いくつかの実施形態では、割り振りインデックスは、２〜４ビットの間であり得る。従って、いくつかの実施形態では、最大で１６個の異なる割り振りタイプが存在し得る。
【０１０３】
[00119]  ＡＰ １０４がトーンブロックをＳＴＡ １０６に割り振るとき、それは、使用される割り振りタイプのインジケーションを送信し得る。様々な実施形態では、そのインジケーションは、図８Ａ−８Ｆに関して上述される割り振りインデックスを含み得る。様々な実施形態では、ＡＰ １０４は、図９で示されるトーンブロック割り振りを使用して、トーンブロックをＳＴＡ １０６に割り振り得る。
【０１０４】
[00120]  図９は、１つの実施形態に従った、例となるトーンブロック割り振り９００を示す。ＡＰ １０４は、例えば、ＤＬ ８０２．１１ａｘフレームのようなパケットの信号フィールドにおいて、割り振り９００を送信し得る。いくつかの実施形態では、ＡＰ １０４は、高効率（ＨＥ）信号（ＳＩＧ）フィールドにおいて、割り振り９００を送信し得る。いくつかの実施形態では、ＨＥ−ＳＩＧフィールドは、ネットワーク上のデバイスのサブセットによってのみ復号され得る。いくつかの実施形態では、ＡＰ １０４は、ＨＥ−ＳＩＧＡまたはＨＥ−ＳＩＧＢフィールドのようなＨＥ−ＳＩＧフィールドの１つまたは複数の部分において、割り振り９００を送信し得る。
【０１０５】
[00121]  図示される割り振り９００は、ＰＰＤＵ ＢＷフィールド９１０、割り振りタイプフィールド９２０、および１つまたは複数のユーザ割り振り９３０Ａ−９３０Ｎを含む。様々な実施形態では、（図８Ａ−８Ｆの割り振りＡ−Ｉのような）各割り振りのための単一のユーザ割り振り９３０Ａ−９３０Ｎが存在し得る。当業者は、本明細書で説明される様々なフィールドが再配置され、リサイズされ得、いくつかのフィールドが削除され、追加のフィールドが追加され得ることを理解するだろう。
【０１０６】
[00122]  ＰＰＤＵ ＢＷフィールド９１０は、割り振り９００の送信帯域幅を示すための役割を果たす。図示される実施形態では、ＰＰＤＵ ＢＷフィールド９１０は、２ビット長である。例えば、（本開示の範囲内に他のマッピングがあり得、予期され得るが）２０ＭＨｚ送信について、ＰＰＤＵ ＢＷフィールド９１０は０ｂ００であり得、４０ＭＨｚ送信について、ＰＰＤＵ ＢＷフィールド９１０は０ｂ０１であり得、８０ＭＨｚ送信について、ＰＰＤＵ ＢＷフィールド９１０は０ｂ１０であり得る。様々な実施形態では、ＰＰＤＵ ＢＷフィールド９１０は、１〜４ビット長の間、１〜６ビット長の間、または可変長であり得る。
【０１０７】
[00123]  割り振りタイプフィールド９２０は、割り振り９００の割り振りタイプを示すための役割を果たす。図示される実施形態では、割り振りタイプフィールド９２０は、ｌｏｇ２（ＮＡｌｌｏｃＴｙｐｅｓ（ＢＷ））ビット長である。例えば、割り振りタイプフィールド９２０は、図８Ａ−８Ｆに関して上述される割り振りインデックスであり得る。様々な実施形態では、様々な実施形態では、割り振りタイプフィールド９２０は、所与のＰＰＤＵ ＢＷついて１６以下の割り振りタイプと仮定すると、１〜４ビット長の間であり得る。
【０１０８】
[00124]  ユーザ割り振り９３０Ａ−９３０Ｎは、トーンブロックをＳＴＡ １０６に割り振るための役割を果たす。割り振りインデックスが割り振りタイプにおける割り振りの数を示すため、ユーザ割り振りフィールド９３０Ａ−９３０Ｎの数は、割り振りタイプフィールド９２０から導かれ得、それはまた、割り振り９００の全体の長さも示し得る。各ユーザ割り振り９３０Ａ−９３０Ｎは、マルチユーザ（ＭＵ）／シングルユーザ（ＳＵ）インジケーション９４０を含み得る。
【０１０９】
[00125]  ＭＵ／ＳＵインジケーション９４０は、関連付けられたユーザ割り振り９３０−９３０Ｎがシングルユーザに割り振られるか、または（例えば、ＭＵ−ＭＩＭＯを介して）複数ユーザ間で共有されるかを示すための役割を果たす。例えば、ＭＵ／ＳＵインジケーション９４０が０ｂ０であるとき、それは、ＳＵ割り振りを示し得、ＭＵ／ＳＵインジケーション９４０が０ｂ１であるとき、それは、ＭＵ割り振りを示し得る（あるいは、逆もまた同様である）。図示される実施形態では、ＭＵ／ＳＵインジケーション９４０は、単一ビットフラグである。様々な実施形態では、ＭＵ／ＳＵインジケーション９４０は、１〜６ビット長の間、２〜４ビット長の間、または可変長であり得る。
【０１１０】
[00126]  特定のユーザ割り振り９３０Ａ−９３０ＮがＳＵ割り振りであるとき、ユーザ割り振り９３０Ａ−９３０Ｎは、ＳＴＡ ＩＤ ９５０および１つまたは複数のユーザパラメータ９６０を含み得る。ＳＴＡ ＩＤ ９５０は、ｎ番目の割り振りが割り当てられるＳＴＡ １０６を識別するための役割を果たし、ここで、ｎはユーザ割り振り９３０Ａ−９３０Ｎのリスト内の特定のユーザ割り振り９３０Ａ−９３０Ｎの序数である。例えば、図８Ａを再度参照すると、割り振りタイプ９２０が０ｂ００であり、第１のＭＵ／ＳＵインジケーション９４０が０ｂ０である場合、第１のＳＴＡ ＩＤ ９５０は、割り振りタイプ８００におけるＳＴＡ １０６の割り振りの割り振りＡを示し得る。様々な実施形態では、ＳＴＡ ＩＤ ９５０は、例えば、ＰＡＩＤ、ＡＩＤ、またはＧＩＤのようなＳＴＡ １０６のための部分的なまたは完全な識別子であり得る。
【０１１１】
[00127]  ユーザパラメータ９６０は、ワイヤレスリソースを共有する各ユーザに対して適用可能な１つまたは複数の通信パラメータを示すための役割を果たす。例えば、ユーザパラメータは、変調およびコーディングスキーム（ＭＣＳ）、送信ビームフォーミング（ＴｘＢＦ）パラメータ、いくつかの空間時間ストリーム（Ｎｓｔｓ：number of space-time-streams）などのうちの１つまたは複数を含み得る。様々な実施形態では、ユーザパラメータ９６０は、固定または可変長であり得る。
【０１１２】
[00128]  特定のユーザ割り振り９３０Ａ−９３０ＮがＭＵ割り振りであるとき、ユーザ割り振り９３０Ａ−９３０Ｎは、特定のユーザ割り振り９３０Ａ−９３０Ｎに割り振られるユーザの数９７０を含み得、その後に、ＳＴＡ ＩＤ ９５０Ａ−９５０Ｎのリストおよびユーザ９６０Ａ−９６０Ｎが続く。いくつかの実施形態では、同じ割り振りに割り当てられ得るユーザの数は、８以下であり得る。よって、図示される実施形態では、ユーザの数９７０は、３ビット長であり得る。様々な実施形態では、ユーザの数９７０は、１〜５ビット長の間、２〜４ビット長の間、または可変長であり得る。
【０１１３】
[00129]  図１０は、ある実施形態に従った、直交周波数分割多元接続（ＯＦＤＭＡ）トーンプランのためのインターリービングパラメータを生成するように動作可能なシステム１０００を示す。システム１０００は、ワイヤレスネットワーク１０５０を介して、複数の他のデバイス（例えば、宛先デバイス）１０２０、１０３０、および１０４０とワイヤレスで通信するように構成される第１のデバイス（例えば、ソースデバイス）１０１０を含む。代替の実施形態では、異なる数のソースデバイスの宛先デバイスが、システム１０００内に表される。様々な実施形態では、ソースデバイス１０１０は、ＡＰ １０４（図１）を含み得、他のデバイス１０２０、１０３０、および１０４０は、ＳＴＡ １０６（図１）を含む。システム１０００は、システム１００（図１）を含み得る。様々な実施形態では、デバイス１０１０、１０２０、１０３０、および１０４０のうちのいずれかが、ワイヤレスデバイス２０２（図２）を含み得る。
【０１１４】
[00130]  特定の実施形態では、無線ネットワーク１０５０は、米国電気電子学会（ＩＥＥＥ）８０２．１１ワイヤレスネットワーク（例えば、Ｗｉ−Ｆｉネットワーク）である。例えば、ワイヤレスネットワーク１０５０は、ＩＥＥＥ ８０２．１１規格に従って動作し得る。ある特定の実施形態では、ワイヤレスネットワーク１０５０は、多元接続通信をサポートする。例えば、ワイヤレスネットワーク１０５０は、宛先デバイス１０２０、１０３０、および１０４０の各々への単一のパケット１０６０の通信をサポートし得、ここで、単一のパケット１０６０は、宛先デバイスの各々に向けられた個々のデータ部分を含む。一例では、パケット１０６０は、本明細書でさらに説明されるように、ＯＦＤＭＡパケットであり得る。
【０１１５】
[00131]  ソースデバイス１０１０は、多元接続パケットを生成し、それを複数の宛先デバイスに送信するように構成された、アクセスポイント（ＡＰ）または他のデバイスであり得る。ある特定の実施形態では、ソースデバイス１０１０は、プロセッサ１０１１（例えば、中央処理ユニット（ＣＰＵ）、デジタルシグナルプロセッサ（ＤＳＰ）、ネットワーク処理ユニット（ＮＰＵ）など）、メモリ１０１２（例えば、ランダムアクセスメモリ（ＲＡＭ）、読み取り専用メモリ（ＲＯＭ）など）、およびワイヤレスネットワーク１０５０を介してデータを送受信するように構成されたワイヤレスインターフェース１０１５を含む。メモリ１０１２は、図１１のインターリービングシステム１０１４に関して説明される技法に従ってデータをインターリーブするためのインターリービングシステム１０１４によって使用される、二進畳み込みコード（ＢＣＣ：binary convolutional code）インターリービングパラメータ１０１３を記憶し得る。
【０１１６】
[00132]  本明細書で使用されるような「トーン」は、データが通信される周波数または周波数のセット（例えば、周波数範囲）を表し得る。トーンは、代替的にサブキャリアと呼ばれ得る。よって、「トーン」は、周波数領域ユニットであり得、パケットは、複数のトーンにわたり得る。トーンとは対照的に、「シンボル」は時間領域ユニットであり得、パケットは複数のシンボルにわたり（例えば、含み）得、各シンボルは、ある特定の持続時間を有する。よって、ワイヤレスパケットは、周波数領域（例えば、トーン）および時間領域（例えば、シンボル）にわたる２次元構成として可視化され得る。
【０１１７】
[00133]  例として、ワイヤレスデバイスは、２０メガヘルツ（ＭＨｚ）のワイヤレスチャネル（例えば、２０ＭＨｚ帯域幅を有するチャネル）を介して、パケットを受信し得る。ワイヤレスデバイスは、パケット内の２５６個のトーンを決定するために、２５６ポイントの高速フーリエ変換（ＦＦＴ）を行い得る。トーンのサブセットは、「使用可能」であると考えられ得、残りのトーンは、「使用不可能」である（例えば、ガードトーン、直流（ＤＣ）トーンなどであり得る）と考えられ得る。例示のために、２５６個のトーンのうちの２３８個が使用可能であり、それらは、いくつかのデータトーンおよびパイロットトーンを含み得る。
【０１１８】
[00134]  ある特定の実施形態では、インターリービングパラメータ１０１３は、パケット１０６０のどのデータトーンが個々の宛先デバイスに割り当てられるかを決定するために、多元接続パケット１０６０の生成中に、インターリービングシステム１０１４によって使用され得る。例えば、パケット１０６０は、各個々の宛先デバイス１０２０、１０３０、および１０４０に割り振られた異なるトーンのセットを含み得る。例示のために、パケット１０６０は、インターリーブされた割り振りを利用し得る。
【０１１９】
[00135]  宛先デバイス１０２０、１０３０、および１０４０は、プロセッサ（例えば、プロセッサ１０２１）、メモリ（例えば、メモリ１０２２）、およびワイヤレスインターフェース（例えば、ワイヤレスインターフェース１０２５）を各々含み得る。宛先デバイス１０２０、１０３０、および１０４０はまた、図１１のＭＩＭＯ検出器１１１８を参照して説明されるような、パケット（例えば、単一の接続パケット、または複数の接続パケット）をデインターリーブするように構成されたデインターリービングシステム１０２４も各々含み得る。一例では、メモリ１０２２は、インターリービングパラメータ１０１３と同一のインターリービングパラメータ１０１３を記憶し得る。
【０１２０】
[00136]  動作中、ソースデバイス１０１０は、パケット１０６０を生成し、それをワイヤレスネットワーク１０５０を介して宛先デバイス１０２０、１０３０、および１０４０の各々に送信し得る。パケット１０６０は、インターリーブされたパターンに従って、各個々の宛先デバイスに割り振られたデータトーンの異なるセットを含み得る。
【０１２１】
[00137]  よって、図１０のシステム１０００は、ＩＥＥＥ ８０２．１１ワイヤレスネットワーク上で通信するために、ソースデバイスおよび宛先デバイスによる使用ためのＯＦＤＭＡデータトーンインターリービングパラメータを提供し得る。例えば、インターリービングパラメータ１０１３、１０２３（または、その一部分）は、示されるように、ソースおよび宛先デバイスのメモリ内に記憶され得、ワイヤレス規格（例えば、ＩＥＥＥ ８０２．１１規格）などによって規格化され得る。本明細書で説明されるような様々なデータトーンプランがダウンリンク（ＤＬ）並びにアップリンク（ＵＬ）ＯＦＤＭＡ通信の両方について適用可能であり得ることに留意されたい。
【０１２２】
[00138]  例えば、ソースデバイス１０１０（例えば、アクセスポイント）は、ワイヤレスネットワーク１０５０を介して信号を受信し得る。信号は、アップリンクパケットに対応し得る。パケット内では、トーンの異なるセットは、宛先デバイス（例えば、モバイル局）１０２０、１０３０、および１０４０の各々に割り振られ、それらによって送信されたアップリンクデータを搬送し得る。
【０１２３】
[00139]  図１１は、ワイヤレス通信を送受信するための図１０のワイヤレスデバイスのような、ワイヤレスデバイスに実装され得る例となる他入力他出力（ＭＩＭＯ）システム１１００を示す。システム１１００は、図１０の第１のデバイス１０１０と、図１０の宛先デバイス１０２０とを含む。
【０１２４】
[00140]  第１のデバイス１０１０は、エンコーダ１１０４、インターリービングシステム１０１４、複数の変調器１１０２ａ−１１０２ｃ、複数の送信（ＴＸ）回路１１１０ａ−１１１０ｃ、および複数のアンテナ１１１２ａ−１１１２ｃを含む。宛先デバイス１０２０は、複数のアンテナ１１１４ａ−１１１４ｃ、複数の受信（ＲＸ）回路１１１６ａ−１１１６ｃ、ＭＩＭＯ検出器１１１８、およびデコーダ１１２０を含む。
【０１２５】
[00141]  ビットシーケンスは、エンコーダ１１０４に提供され得る。エンコーダ１１０４は、ビットシーケンスを符号化するように構成され得る。例えば、エンコーダ１１０４は、前方誤り訂正（ＦＥＣ）コードをビットシーケンスに適用するように構成され得る。ＦＥＣコードは、ブロックコード、畳み込みコード（例えば、二進畳み込みコード）などであり得る。符号化されたビットシーケンスは、インターリービングシステム１０１４に提供され得る。
【０１２６】
[00142]  インターリービングシステム１０１４は、ストリームパーサ１１０６と、複数の空間ストリームインターリーバ１１０８ａ−１１０８ｃとを含み得る。ストリームパーサ１１０６は、符号化されたビットストリームをエンコーダ１１０４から複数の空間ストリームインターリーバ１１０８ａ−１１０８ｃに構文解析（parse）するように構成され得る。
【０１２７】
[00143]  各インターリーバ１１０８ａ−１１０８ｃは、周波数インターリービングを行うように構成され得る。例えば、ストリームパーサ１１０６は、各空間ストリームについてのシンボルごとのコード化されたビットのブロックを出力し得る。各ブロックは、行を書き出し列を読み取る、対応するインターリーバ１１０８ａ−１１０８ｃによって、インターリーブされ得る。列の数（Ｎｃｏｌ）またはインターリーバの深度は、データトーンの数（Ｎｄａｔａ）に基づき得る。行の数（Ｎｒｏｗ）は、列の数（Ｎｃｏｌ）およびデータトーンの数（Ｎｄａｔａ）の関数であり得る。例えば、行の数（Ｎｒｏｗ）は、列の数（Ｎｃｏｌ）によって除算されたデータトーンの数（Ｎｄａｔａ）（例えば、Ｎｒｏｗ＝Ｎｄａｔａ／Ｎｃｏｌ）に等しくなり得る。
【０１２８】
[00144]  図１２は、ワイヤレス通信ネットワークを介する通信する例となる方法についてのフローチャート９００を示す。方法は、いくつかの異なるデバイスがアップリンクまたはダウンリンクＯＦＤＭＡ送信を送信または受信するのを可能にするために、それらデバイス間の帯域幅を分割するために使用され得る。方法は、図２で示されるワイヤレスデバイス２０２、図１で示されるＳＴＡ １０６、または図１で示されるＡＰ １０４のような、本明細書で説明されるデバイスの全体または一部分で実装され得る。図示される方法は、図１に関して上述されるワイヤレス通信システム１００、図５−８に関して上述される送信５００Ａ−８２０Ｄ、および図９に関して上述される割り振り９００を参照して本明細書で説明されるが、当業者は、その図示される方法が本明細書で説明される別のデバイス、または任意の他の適切なデバイスで実装され得ることを理解するだろう。図示される方法は本明細書中の特定の順序を参照して説明されるが、様々な実施形態では、本明細書中のブロックは、異なる順序で実施されるか、あるいは省略され、追加のブロックが追加され得る。
【０１２９】
[00145]  ブロック１２１０において、ワイヤレスデバイスは、ワイヤレス通信デバイスへのワイヤレスリソースの割り振りのために、複数の割り振りスキーマのうちの１つを選択する。例えば、ＡＰ １０４は、割り振りスキーマ８００Ａ−８００Ｄ、８１０Ａ−８１０Ｄ、または８２０Ａ−８２０Ｄ、あるいは別のスキーマのうちの１つを選択し得る。ある実施形態では、ＡＰ １０４は、データをＡＰ １０４が有するいくつかのシングルユーザデバイスの数と、各割り振りを共有するいくつかのマルチユーザデバイスによって分割されたデータをＡＰ １０４が有するいくつかのマルチユーザデバイスの数とを足したものよりも多い数のいくつかの割り振りを有する割り振りスキーマを選択し得る。様々な実施形態では、ＡＰ １０４は、干渉が最小化され、効率が最大化され、または任意の他の選択基準に従うように、割り振りスキーマを選択し得る。
【０１３０】
[00146]  次に、ブロック１２２０において、ワイヤレスデバイスは、選択された割り振りスキーマの識別子と、選択された割り振りスキーマに従ったワイヤレスリソースの１つまたは複数の割り振りとを含む割り振りメッセージを生成する。例えば、ＡＰ １０４は、図９の割り振りメッセージ９００を生成し得る。割り振りメッセージは、選択された割り振りスキーマの識別子として、割り振り識別子９２０を含み得る。割り振りメッセージは、ワイヤレスリソースの１つまたは複数の割り振りとして、ユーザ割り振り９３０Ａ−９３０Ｎを含み得る。
【０１３１】
[00147]  様々な実施形態では、１つまたは複数の割り振りは各々、選択された割り振りスキーマ内の対応する序数割り振りに対応する。例えば、第１のユーザ割り振り９３０Ａにおいて識別されたＳＴＡ １０６は、選択されたスキーマ内の第１の割り振り（例えば、図８Ａ−８Ｅに関して上述されるような割り振りＡ）に割り当てられ得る。第２のユーザ割り振りにおいて識別されたＳＴＡ １０６は、選択されたスキーマ内の第２の割り振り（例えば、図８Ａ−８Ｅに関して上述されるような割り振りＢ）に割り当てられ得、各ユーザ割り振りについて最後のユーザ割り振り９３０Ｎまで以下同様に行われる。
【０１３２】
[00148]  様々な実施形態では、複数の割り振りスキーマは、１つまたは複数の２６トーンおよび２４２トーンブロックの割り振りを含み得る。例えば、ＡＰ １０４は、２６トーンおよび２４２トーンブロックの組み合わせを含む１つまたは複数のスキーマから選択し得る。
【０１３３】
[00149]  様々な実施形態では、複数の割り振りスキーマは、２０ＭＨｚスキーマ、４０ＭＨｚスキーマ、８０ＭＨｚスキーマを含み得る。例えば、ＡＰ １０４は、図８Ａ−８Ｆで示される２０ＭＨｚ、４０ＭＨｚ、８０ＭＨｚスキーマから選択することができる。少なくとも１つの４０ＭＨｚスキーマは、２０ＭＨｚスキーマの部分を含み得る。例えば、４０ＭＨｚスキーマ７００Ｂ（図７）は、２０ＭＨｚスキーマ７００Ａを含み得る。ある実施形態では、少なくとも１つの８０ＭＨｚスキーマは、２０ＭＨｚスキーマまたは４０ＭＨｚスキーマの部分を含み得る。例えば、４０ＭＨｚスキーマ７００Ｃ（図７）は、２０ＭＨｚスキーマ７００Ａおよび／または４０ＭＨｚスキーマ７００Ｂの部分を含み得る。
【０１３４】
[00150]  様々な実施形態では、割り振りメッセージは、２ビットの帯域幅インジケーションと、４ビットのスキーマ識別子とを含み得る。例えば、ＡＰ １０４は、帯域幅インジケーションとしてＰＰＤＵ ＢＷフィールド９１０を、およびスキーマ識別子として割り振りタイプ９２０を生成し得る。
【０１３５】
[00151]  様々な実施形態では、割り振りは各々、１人以上のユーザが割り振りを共有するか否かを示すインジケーションを含み得る。例えば、ＡＰ １０４は、フラグとしてＭＵ／ＳＵビット９４０を含むために、各ユーザ割り振り９３０Ａ−９３０Ｎを生成し得る。
【０１３６】
[00152]  様々な実施形態では、割り振りは、割り振りを共有するユーザの数のインジケーション、割り振りを共有する各ユーザのための局識別子、および割り振りを共有する各ユーザのための１つまたは複数のユーザパラメータを含み得る。例えば、ＡＰ １０４は、局ＩＤとしてＳＴＡ ＩＤ ９５０Ａ−９５０Ｎを、およびユーザパラメータとしてユーザパラメータ９６０Ａ−９６０Ｎを含むために、各マルチユーザ割り振り９３０Ａ−９３０Ｎを生成し得る。様々な実施形態では、８以下のユーザは、各割り振りを共有し、割り振りを共有するユーザの数のインジケーションは、３ビットを含み得る。
【０１３７】
[00153]  様々な実施形態では、１人以上のユーザが割り振りを共有しないことをインジケーションが示すとき、割り振りは、局識別子と１つまたは複数のユーザパラメータとを含み得る。例えば、ＡＰ １０４は、局ＩＤとしてＳＴＡ ＩＤ ９５０を、およびユーザパラメータとしてユーザパラメータ９６０を含むために、各マルチユーザ割り振り９３０Ａ−９３０Ｎを生成し得る。
【０１３８】
[00154]  次に、ブロック１２３０において、ワイヤレスデバイスは、割り振りメッセージを１つまたは複数のワイヤレス通信デバイスに送信する。例えば、ＡＰ １０４は、割り振り９００を１つまたは複数のＳＴＡ １０６に送信し得る。
【０１３９】
[00155]  様々な実施形態では、ＳＴＡ １０６は、割り振りメッセージとして割り振り９００を受信し得る。ＳＴＡ １０６は、帯域幅インジケーション（例えば、ＰＰＤＵ ＢＷ９１０）、スキーマ識別子（例えば、割り振りタイプ９２０）、および１つまたは複数の割り振り（例えば、ユーザ割り振り９３０Ａ−９３０Ｎ）のうちの１つまたは複数を復号し得る。
【０１４０】
[00156]  ある実施形態では、ＳＴＡ １０６は、割り振りメッセージに基づいて複数の割り振りスキーマからＡＰによって選択された割り振りスキーマを決定し得る。例えば、ＳＴＡ １０６は、割り振りタイプ９２０に関連付けられた、選択された割り振りスキーマを識別し得る。
【０１４１】
[00157]  ＳＴＡ １０６は、ＡＰによって選択された割り振りスキーマに従って、１つまたは複数のダウンリンクメッセージを受信し得る。例えば、図８Ａおよび９を参照して、ＳＴＡ １０６は、（２０ＭＨｚ送信を示す）０ｂ０のＰＰＤＵ ＢＷ ９１０、０ｂ００の割り振りタイプ９２０を含むＡＰから割り振り９００を受信し、第２のユーザ割り振り９３０Ａ−９３０Ｎは、ＳＴＡ １０６のためのＳＴＡ ＩＤ ９５０含み得る。従って、ＳＴＡ １０６は、第１の２０ＭＨｚ送信スキーマ８００Ａから割り振りＢ（第２の割り振り）を割り当てられることを決定し得る。
【０１４２】
[00158]   様々な実施形態では、方法は、少なくとも１つのモバイル局にサービスするアクセスポイントによって行われ得る。アクセスポイントのプロセッサは、アクセスポイントの送信機およびアンテナを通して少なくとも１つのモバイル局に割り振りメッセージを送信するように構成され得る。様々な実施形態では、割り振りメッセージを送信することは、３．２ｍｓの１ｘシンボル持続時間または１２．８ｍｓの４ｘシンボル持続時間を使用して、割り振りメッセージの少なくとも一部分を送信することを含み得る。
【０１４３】
[00159]  ある実施形態では、図１２で示される方法は、選択回路、生成回路、および送信回路を含み得るワイヤレスデバイス内に実装され得る。ワイヤレスデバイスが、本明細書で説明される簡略化されたワイヤレスデバイスよりも多くのコンポーネントを有し得ることを当業者は理解するだろう。本明細書で説明されるワイヤレスデバイスは、複数の実装のうちのいくつかの特徴を説明するのに便利なコンポーネントを含む。
【０１４４】
[00160]  選択回路は、割り振りスキーマを選択するように構成され得る。いくつかの実施形態では、選択回路は、図１２の少なくともブロック１２１０を行うように構成され得る。選択回路は、プロセッサ２０４（図２）、メモリ２０６（図２）、およびＤＳＰ ２２０（図２）のうちの１つまたは複数を含み得る。いくつかの実装では、選択するための手段は、選択回路を含み得る。
【０１４５】
[00161]  生成回路は、割り振りメッセージを生成するように構成され得る。いくつかの実施形態では、生成回路は、図１２の少なくともブロック１２２０を行うように構成され得る。生成回路は、プロセッサ２０４（図２）、メモリ２０６（図２）、およびＤＳＰ ２２０（図２）のうちの１つまたは複数を含み得る。いくつかの実装では、生成するための手段は、生成回路を含み得る。
【０１４６】
[00162]  送信回路は、割り振りメッセージを送信するように構成され得る。いくつかの実施形態では、送信回路は、図１２の少なくともブロック１２３０を行うように構成され得る。送信回路は、送信機２１４（図２）、アンテナ２１６（図２）、およびトランシーバ２１４（図２）のうちの１つまたは複数を含み得る。いくつかの実施形態では、送信するための手段は、送信回路を含み得る。
【０１４７】
[00163]  ある実施形態では、割り振りメッセージを受信するＳＴＡ １０６は、受信回路、決定回路、および復号回路を含み得るワイヤレスデバイス内に実装され得る。ワイヤレスデバイスが、本明細書で説明される簡略化されたワイヤレスデバイスよりも多くのコンポーネントを有し得ることを当業者は理解するだろう。本明細書で説明されるワイヤレスデバイスは、複数の実装のうちのいくつかの特徴を説明するのに便利なコンポーネントを含む。
【０１４８】
[00164]  受信回路は、選択された割り振りスキーマに従って、割り振りメッセージおよび／または後続の送信を受信するように構成され得る。受信回路は、受信機２１２（図２）、アンテナ２１６（図２）、およびトランシーバ２１４（図２）のうちの１つまたは複数を含み得る。いくつかの実施形態では、受信するための手段は、受信回路を含み得る。
【０１４９】
[00165]  決定回路は、ＡＰによって選択されたスキーマを決定するように構成され得る。決定回路は、プロセッサ２０４（図２）、メモリ２０６（図２）、およびＤＳＰ ２２０（図２）のうちの１つまたは複数を含み得る。いくつかの実装では、決定するための手段は、決定回路を含み得る。
【０１５０】
[00166]  復号回路は、割り振りメッセージを復号するように構成され得る。復号回路は、プロセッサ２０４（図２）、メモリ２０６（図２）、およびＤＳＰ ２２０（図２）のうちの１つまたは複数を含み得る。いくつかの実施形態では、復号するための手段は、復号回路を含み得る。
【０１５１】
［実装技術］
[00167]  当業者は、情報および信号が様々な異なる技術および技法のうちのいずれかを使用して表され得ることを理解するだろう。例えば、上記の説明の全体にわたって参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【０１５２】
[00168］  本開示で説明される実装に対する様々な変更は、当業者にとって容易に理解され得、本明細書で定義される一般的な原理は、本開示の精神または範囲から逸脱することなく他の実装に適用され得る。従って、本開示は、本明細書で示される実装に限定することを意図するものではなく、本明細書に開示される特許請求の範囲、原理、および新規の特徴と一致する最も広い範囲が付与されるべきものである。「例」という用語は、本明細書では、「例、事例、または実例としての役割を果たす」という排他的な意味で使用される。「例」として本明細書で説明される任意の実装は、必ずしも他の実装に対して好ましいまたは有利であると解釈されるべきではない。
【０１５３】
[00169]  本明細書で使用される場合、項目のリスト「〜のうちの少なくとも１つ」を指すフレーズは、単一のメンバを含む、それらの項目の任意の組み合わせを指す。第１の例として、「ａおよびｂのうちの少なくとも１つ」（同様に、「ａまたはｂ」）は、ａ、ｂ、およびａ−ｂ、並びに、複数の同じ要素（例えば、ａ−ａ、ａ−ａ−ａ、ａ−ａ−ｂ、ａ−ｂ−ｂ、ｂ−ｂ、ｂ−ｂ−ｂ、または、いずれかの他の順序のａおよびｂ）との任意の組み合わせをカバーすることが意図される。第２の例として、「ａ、ｂ、またはｃのうちの少なくとも１つ」（同様に、「ａ、ｂ、またはｃ」）は、ａｓ、ｂ、ｃ、ａ−ｂ、ａ−ｃ、ｂ−ｃ、およびａ−ｂ−ｃ、並びに、複数の同じ要素（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、または、いずれかの他の順序のａ、ｂ、およびｃ）との任意の組み合わせをカバーすることが意図される。
【０１５４】
[00170]  別個の実装のコンテキストにおいて本明細書で説明されるある特定の特徴もまた、単一の実装における組み合わせで実装され得る。反対に、単一のコンテキストにおいて説明される様々な特徴はまた、複数の実装で別個に、または任意の適切なサブコンビネーションでも実装され得る。さらに、特徴は、ある特定の組み合わせで動作するように上記で説明され、最初でもそのように特許請求され得るが、特許請求される組み合わせからの１つまたは複数の特徴は、いくつかの場合には、その組み合わせから削除され、特許請求される組み合わせは、サブコンビネーション、またはサブコンビネーションのバリエーションに向けられ得る。
【０１５５】
[00171]  上述される方法の様々な動作は、様々なハードウェアおよび／またはソフトウェアコンポーネント、回路、および／またはモジュールのような、動作を実行することが可能な任意の適切な手段によって行われ得る。一般に、図面で図示される任意の動作は、動作を行うことが可能な対応する機能的手段によって行われ得る。
【０１５６】
[00172]  本開示に関連して説明される様々な例示的な論理ブロック、モジュールおよび回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネントあるいは本明細書で説明される機能を行うように設計されたそれらの任意の組み合わせを用いて実装または実施され得る。汎用プロセッサは、マイクロプロセッサであり得るが、代替的に、このプロセッサは、任意の商業的に利用可能なプロセッサ、コントローラ、マイクロコントローラ、またはステートマシンであり得る。プロセッサはまた、コンピューティングデバイスの組み合わせ、例えば、ＤＳＰとマイクロプロセッサの組み合わせ、複数のマイクロプロセッサ、ＤＳＰコアと連携した１つまたは複数のマイクロプロセッサ、または任意の他のそのような構成として実装され得る。
【０１５７】
[00173]  １つまたは複数の態様において、説明される機能は、ハードウェア、ソフトウェア、ファームウェア、またはそれらの任意の組み合わせで実装され得る。ソフトウェアで実装される場合、機能は、１つまたは複数の命令またはコードとして、コンピュータ可読媒体上に記憶され得るか、あるいはコンピュータ読取可能媒体上に送信され得る。コンピュータ可読媒体は、コンピュータ記憶媒体と、１つの場所から別の場所へのコンピュータプログラムの転送を容易にする任意の媒体を含む通信媒体との両方を含む。記憶媒体は、コンピュータによってアクセスされることができる任意の利用可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭ、または他の光ディスク記憶装置、磁気ディスク記憶装置または他の磁気記憶デバイス、あるいは命令またはデータ構造の形で所望されるプログラムコードを搬送または記憶するために使用され得、コンピュータによってアクセスされ得る任意の他の媒体を備え得る。また、任意の接続は、正確にはコンピュータ可読媒体と呼ばれる。例えば、ソフトウェアがウェブサイト、サーバ、または他の遠隔ソースから、同軸ケーブル、光ファイバーケーブル、ツイストペア、デジタル加入者回線（ＤＳＬ）、あるいは赤外線、無線、およびマイクロ波のようなワイヤレス技法を使用して送信される場合、同軸ケーブル、光ファイバーケーブル、ツイストペア、ＤＳＬ、あるいは赤外線、無線、およびマイクロ波のようなワイヤレス技法は、媒体の定義に含まれる。本明細書で使用される際、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここで、ディスク（disks）が通常磁気的にデータを再生する一方、ディスク（discs）はレーザーを用いて光学的にデータを再生する。よって、いくつかの態様では、コンピュータ可読媒体は、非一時的なコンピュータ可読媒体（例えば、有形媒体）を備え得る。加えて、いくつかの態様では、コンピュータ可読媒体は、一時的なコンピュータ可読媒体（例えば、信号）を備え得る。上記の組み合わせもまた、コンピュータ可読媒体の範囲内に含まれるべきである。
【０１５８】
[00174]  本明細書で開示される方法は、説明される方法を達成するための１つまたは複数のステップまたは動作を備える。方法のステップおよび／または動作は、特許請求の範囲から逸脱することなく互いに置き換えられ得る。言い換えると、ステップまたは動作の特定の順序が指定されない限り、特定のステップおよび／または動作の順序および／または使用は、特許請求の範囲から逸脱することなく変更され得る。
【０１５９】
[00175]  さらに、本明細書で説明される方法および技法を行うためのモジュールおよび／または他の適切な手段は、適宜、ユーザ端末および／または基地局によってダウンロードされるおよび／またはそうでなければ取得され得ることが理解されるべきである。例えば、このようなデバイスは、本明細書で説明される方法を行うための手段の転送を容易にするためにサーバに結合され得る。代替的に、本明細書で説明される様々な方法は、ユーザ端末および／または基地局が、デバイスに記憶手段を結合または提供する際に様々な方法を取得し得るように、記憶手段（例えば、ＲＡＭ、ＲＯＭ、コンパクトディスク（ＣＤ）またはフロッピーディスクのような物理記憶媒体など）を介して提供され得る。さらに、本明細書で説明される方法および技法をデバイスに提供するための任意の他の適切な技法が、利用され得る。
【０１６０】
[00176]  前述のものが本開示の態様に向けられている一方、本開示の他のおよびさらなる態様は、これらの基本的な範囲から逸脱することなく考案されることができ、その範囲は、下記の特許請求の範囲によって決定される。
以下に本願の出願当初の特許請求の範囲に記載された発明を付記する。
［Ｃ１］
ワイヤレス通信ネットワークを介する通信の方法であって、前記方法は、
ワイヤレス通信デバイスへのワイヤレスリソースの割り振りのために、複数の割り振りスキーマのうちの１つを選択することと、
前記選択された割り振りスキーマの識別子と、選択された割り振りスキーマに従ったワイヤレスリソースの１つまたは複数の割り振りとを備える割り振りメッセージを生成することと、
前記割り振りメッセージを１つまたは複数のワイヤレス通信デバイスに送信することと
を備える、方法。
［Ｃ２］
前記１つまたは複数の割り振りは各々、前記選択された割り振りスキーマ内の対応する序数割り振りに対応する、Ｃ１に記載の方法。
［Ｃ３］
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、Ｃ１に記載の方法。
［Ｃ４］
前記割り振りは各々、１人以上のユーザが前記割り振りを共有するか否かを示すインジケーションを備える、Ｃ１に記載の方法。
［Ｃ５］
前記割り振りは、前記割り振りを共有するユーザの数のインジケーション、前記割り振りを共有する各ユーザのための局識別子、および前記割り振りを共有する各ユーザのための１つまたは複数のユーザパラメータを備える、Ｃ１に記載の方法。
［Ｃ６］
１人以上のユーザが前記割り振りを共有しないことを前記インジケーションが示すとき、前記割り振りは、局識別子と１つまたは複数のユーザパラメータとを備える、Ｃ４に記載の方法。
［Ｃ７］
前記方法は、少なくとも１つのモバイル局にサービスするアクセスポイントによって行われ、前記アクセスポイントのプロセッサは、前記アクセスポイントの送信機およびアンテナを通して少なくとも前記１つのモバイル局に前記割り振りメッセージを送信するように構成される、Ｃ１に記載の方法。
［Ｃ８］
８以下のユーザは、各割り振りを共有する、Ｃ１に記載の方法。
［Ｃ９］
ワイヤレス通信を提供するように構成された装置であって、
命令を記憶するメモリと、
前記メモリに結合されたプロセッサと、ここにおいて、前記プロセッサおよび前記メモリは、
ワイヤレス通信デバイスへのワイヤレスリソースの割り振りのために、複数の割り振りスキーマのうちの１つを選択することと、
前記選択された割り振りスキーマの識別子と、選択された割り振りスキーマに従ったワイヤレスリソースの１つまたは複数の割り振りとを備える割り振りメッセージを生成することと
を行うように構成され、
前記割り振りメッセージを１つまたは複数のワイヤレス通信デバイスに送信するように構成された送信機と
を備える、装置。
［Ｃ１０］
前記１つまたは複数の割り振りは各々、前記選択された割り振りスキーマ内の対応する序数割り振りに対応する、Ｃ９に記載の装置。
［Ｃ１１］
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、Ｃ９に記載の装置。
［Ｃ１２］
前記割り振りは各々、１人以上のユーザが前記割り振りを共有するか否かを示すインジケーションを備える、Ｃ９に記載の装置。
［Ｃ１３］
前記割り振りは、前記割り振りを共有するユーザの数のインジケーション、前記割り振りを共有する各ユーザのための局識別子、および前記割り振りを共有する各ユーザのための１つまたは複数のユーザパラメータを備える、Ｃ９に記載の装置。
［Ｃ１４］
１人以上のユーザが前記割り振りを共有しないことを前記インジケーションが示すとき、前記割り振りは、局識別子と１つまたは複数のユーザパラメータとを備える、Ｃ１２に記載の装置。
［Ｃ１５］
前記装置は、少なくとも１つのモバイル局にサービスするアクセスポイントを備え、前記プロセッサおよびメモリは、前記アクセスポイントの前記送信機およびアンテナを通して前記少なくとも１つのモバイル局に前記割り振りメッセージを送信するように構成される、Ｃ９に記載の装置。
［Ｃ１６］
前記送信機は、３．２ｍｓの１ｘシンボル持続時間または１２．８ｍｓの４ｘシンボル持続時間を使用して、前記割り振りメッセージの少なくとも一部分を送信するように構成される、Ｃ９に記載の装置。
［Ｃ１７］
ワイヤレス通信のための装置であって、
ワイヤレス通信デバイスへのワイヤレスリソースの割り振りのために、複数の割り振りスキーマのうちの１つを選択するための手段と、
前記選択された割り振りスキーマの識別子と、選択された割り振りスキーマに従ったワイヤレスリソースの１つまたは複数の割り振りとを備える割り振りメッセージを生成するための手段と、
前記割り振りメッセージを１つまたは複数のワイヤレス通信デバイスに送信するための手段と
を備える、装置。
［Ｃ１８］
前記１つまたは複数の割り振りは各々、前記選択された割り振りスキーマ内の対応する序数割り振りに対応する、Ｃ１７に記載の装置。
［Ｃ１９］
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、Ｃ１７に記載の装置。
［Ｃ２０］
前記割り振りは各々、１人以上のユーザが前記割り振りを共有するか否かを示すインジケーションを備える、Ｃ１７に記載の装置。
［Ｃ２１］
前記割り振りは、前記割り振りを共有するユーザの数のインジケーション、前記割り振りを共有する各ユーザのための局識別子、および前記割り振りを共有する各ユーザのための１つまたは複数のユーザパラメータを備える、Ｃ１７に記載の装置。
［Ｃ２２］
１人以上のユーザが前記割り振りを共有しないことを前記インジケーションが示すとき、前記割り振りは、局識別子と１つまたは複数のユーザパラメータとを備える、Ｃ２０に記載の装置。
［Ｃ２３］
前記装置は、少なくとも１つのモバイル局にサービスするアクセスポイントを備え、前記アクセスポイントのプロセッサは、前記アクセスポイントの送信機およびアンテナを通して少なくとも前記１つのモバイル局に前記割り振りメッセージを送信するように構成される、Ｃ１７に記載の装置。
［Ｃ２４］
コードを備える非一時的コンピュータ可読媒体であって、前記コードは、実行されるとき、装置に、
ワイヤレス通信デバイスへのワイヤレスリソースの割り振りのために、複数の割り振りスキーマのうちの１つを選択することと、
前記選択された割り振りスキーマの識別子と、選択された割り振りスキーマに従ったワイヤレスリソースの１つまたは複数の割り振りとを備える割り振りメッセージを生成することと
前記割り振りメッセージを１つまたは複数のワイヤレス通信デバイスに送信することと
を行わせる、非一時的コンピュータ可読媒体。
［Ｃ２５］
前記１つまたは複数の割り振りは各々、前記選択された割り振りスキーマ内の対応する序数割り振りに対応する、Ｃ２４に記載の媒体。
［Ｃ２６］
前記複数の割り振りスキーマは、２０ＭＨｚスキーマ、４０ＭＨｚスキーマ、および８０ＭＨｚスキーマを備え、少なくとも１つの４０ＭＨｚスキーマは、２０ＭＨｚスキーマの部分を備え、少なくとも１つの８０ＭＨｚスキーマは、２０ＭＨｚスキーマまたは４０ＭＨｚスキーマの部分を備える、Ｃ２４に記載の媒体。
［Ｃ２７］
前記割り振りは各々、１人以上のユーザが前記割り振りを共有するか否かを示すインジケーションを備える、Ｃ２４に記載の媒体。
［Ｃ２８］
前記割り振りは、前記割り振りを共有するユーザの数のインジケーション、前記割り振りを共有する各ユーザのための局識別子、および前記割り振りを共有する各ユーザのための１つまたは複数のユーザパラメータを備える、Ｃ２４に記載の媒体。
［Ｃ２９］
１人以上のユーザが前記割り振りを共有しないことを前記インジケーションが示すとき、前記割り振りは、局識別子と１つまたは複数のユーザパラメータとを備える、Ｃ２７に記載の媒体。
［Ｃ３０］
前記装置は、少なくとも１つのモバイル局にサービスするアクセスポイントを備え、前記アクセスポイントのプロセッサは、前記アクセスポイントの送信機およびアンテナを通して少なくとも前記１つのモバイル局に前記割り振りメッセージを送信するように構成される、Ｃ２４に記載の媒体。
【図１】
0006668356.tif 000002
【図２】
0006668356.tif 000003
【図３】
0006668356.tif 000004
【図４】
0006668356.tif 000005
【図５Ａ】
0006668356.tif 000006
【図５Ｂ】
0006668356.tif 000007
【図５Ｃ】
0006668356.tif 000008
【図６Ａ】
0006668356.tif 000009
【図６Ｂ】
0006668356.tif 000010
【図６Ｃ】
0006668356.tif 000011
【図６Ｄ】
0006668356.tif 000012
【図７】
0006668356.tif 000013
【図８Ａ】
0006668356.tif 000014
【図８Ｂ】
0006668356.tif 000015
【図８Ｃ】
0006668356.tif 000016
【図８Ｄ】
0006668356.tif 000017
【図８Ｅ】
0006668356.tif 000018
【図８Ｆ】
0006668356.tif 000019
【図９】
0006668356.tif 000020
【図１０】
0006668356.tif 000021
【図１１】
0006668356.tif 000022
【図１２】
0006668356.tif 000023